(57)【要約】【課題】本発明は、カラーブレイクを抑制することが可能な液晶表示装置の駆動方法を提供することを主目的とする。【解決手段】本発明は、複数の連続するゲート線を有する２ｎ（ｎは２〜４の整数）個の領域に分割され、上記領域毎に複数色の光源が設けられた液晶表示装置の駆動方法であって、各サブフレーム中に書き込み期間と液晶応答期間と点灯期間と消去期間とを有し、上記２ｎ個の領域のうち任意の２個の領域を１組として、各組の領域にて領域毎に１色ずつ書き込み期間を交互に設け、２ｎ個の領域にて組毎に複数色ずつ書き込み期間を順に設けることを特徴とする液晶表示装置の駆動方法を提供することにより、上記目的を達成する。【選択図】図４
2009115968.tif 000002
【特許請求の範囲】
【請求項１】
複数の連続するゲート線を有する２ｎ（ｎは２〜４の整数）個の領域に分割され、前記領域毎に複数色の光源が設けられた液晶表示装置の駆動方法であって、
各サブフレーム中に、
前記１個の領域の複数のゲート線に順に電圧を印加して複数のスイッチング素子を順にオンするとともに、複数のソース線に第一の極性の電圧を印加する書き込み期間と、
前記書き込み期間後に、液晶が応答するのを待つ液晶応答期間と、
前記液晶応答期間後に、前記領域に設けられた１色の光源を点灯させる点灯期間と、
前記点灯期間後に、前記領域の複数のゲート線に同時に電圧を印加して前記複数のスイッチング素子を同時にオンするとともに、前記複数のソース線に同時に前記第一の極性に対して逆極性の第二の極性の電圧またはゼロ電圧のいずれかを印加する消去期間とを有し、
前記２ｎ個の領域のうち任意の２個の領域を１組として、各組の領域にて領域毎に１色ずつ書き込み期間を交互に設け、２ｎ個の領域にて組毎に複数色ずつ書き込み期間を順に設けることを特徴とする液晶表示装置の駆動方法。
【請求項２】
前記書き込み期間が、前記液晶応答期間、点灯期間および消去期間の合計時間以上であることを特徴とする請求項１に記載の液晶表示装置の駆動方法。
【請求項３】
ある１個の領域の前記書き込み期間後、当該領域以外の領域の複数のゲート線に同時に電圧を印加して前記複数のスイッチング素子を同時にオンするとともに、前記複数のソース線に同時にゼロ電圧を印加する第１初期化期間を有することを特徴とする請求項１または請求項２に記載の液晶表示装置の駆動方法。
【請求項４】
１フレーム中、最後のサブフレームの前記消去期間後に、前記１個の領域の複数のゲート線に同時に電圧を印加して前記複数のスイッチング素子を同時にオンしたまま、少なくとも前記複数のソース線に同時にゼロ電圧を印加して保持する第２初期化期間を有し、
前記第２初期化期間にて、前記複数のゲート線に同時に電圧を印加する時間が、液晶の応答に要する時間より長いことを特徴とする請求項１または請求項２に記載の液晶表示装置の駆動方法。
【請求項５】
前記第２初期化期間が、前記１個の領域の複数のゲート線に同時に電圧を印加して前記複数のスイッチング素子を同時にオンしたまま、前記複数のソース線に同時に前記第二の極性の電圧を印加して保持する逆極性電圧初期化期間と、前記逆極性電圧初期化期間後に、前記１個の領域の複数のゲート線に同時に電圧を印加して前記複数のスイッチング素子を同時にオンしたまま、前記複数のソース線に同時にゼロ電圧を印加して保持するゼロ電圧初期化期間とを有することを特徴とする請求項４に記載の液晶表示装置の駆動方法。
【請求項６】
１フレーム中、最後のサブフレームの前記消去期間後に、前記１個の領域の複数のゲート線に同時に電圧を印加して前記複数のスイッチング素子を同時にオンするとともに、前記複数のソース線に同時に前記第二の極性の電圧を印加して保持する逆極性電圧保持期間を有することを特徴とする請求項１または請求項２に記載の液晶表示装置の駆動方法。
【請求項７】
１フレーム中、最後のサブフレームの前記消去期間後に、前記１個の領域の複数のゲート線に同時に電圧を印加して前記複数のスイッチング素子を同時にオンするとともに、前記複数のソース線に同時に前記第一の極性の電圧を印加して保持する第一保持期間と、前記領域の複数のゲート線に同時に電圧を印加して前記複数のスイッチング素子を同時にオンするとともに、前記複数のソース線に同時に前記第二の極性の電圧を印加して保持する第二保持期間とを交互に有する交互電圧印加期間を有し、
ある１個の領域の第一保持期間を、前記領域に隣接する領域の点灯期間以外に設け、
前記書き込み期間にて書き込むデータおよび前記交互電圧印加期間にて書き込むデータが異なることを特徴とする請求項１または請求項２に記載の液晶表示装置の駆動方法。
【請求項８】
前記交互電圧印加期間にて書き込むデータが、フレーム毎にランダムに異なることを特徴とする請求項７に記載の液晶表示装置の駆動方法。
【請求項９】
先のサブフレームの前記書き込み期間での走査順と、次のサブフレームの前記書き込み期間での走査順とが逆であることを特徴とする請求項１から請求項８までのいずれかに記載の液晶表示装置の駆動方法。
【請求項１０】
ある１個の領域の前記書き込み期間と、当該領域に隣接する領域の前記点灯期間とが重複する場合に、前記ある１個の領域の書き込み期間にて、当該領域に隣接する領域が設けられている側とは反対側に位置する前記ゲート線から走査することを特徴とする請求項１から請求項８までのいずれかに記載の液晶表示装置の駆動方法。
【請求項１１】
単安定性を示し、かつ、ハーフＶ字型スイッチング特性を示す強誘電性液晶を用いることを特徴とする請求項１から請求項１０までのいずれかに記載の液晶表示装置の駆動方法。
【請求項１２】
２ｎ（ｎは２〜４の整数）個の領域に分割された複数のゲート線と、複数のソース線と、前記ゲート線およびソース線に接続され、画素毎に配置された複数のスイッチング素子と、前記スイッチング素子に接続され、画素毎に配置された複数の画素電極と、前記画素電極に対向する位置に配置された対向電極と、前記画素電極および対向電極間に配置された液晶と、前記複数のゲート線に接続され、走査信号を印加するゲートドライバと、前記複数のソース線に接続され、画像信号を印加するソースドライバとを有する液晶パネル、ならびに、前記液晶パネルに対して光を照射し、前記領域毎に設けられた複数色の光源、ならびに、前記ゲートドライバ、ソースドライバおよび光源に接続され、請求項１から請求項１１までのいずれかに記載の液晶表示装置の駆動方法によって液晶表示装置を駆動する制御部を有することを特徴とする液晶表示装置。
【発明の詳細な説明】
【技術分野】
【０００１】
本発明は、フィールドシーケンシャル方式による液晶表示装置の駆動方法に関するものである。
【背景技術】
【０００２】
近年、カラー液晶表示装置の開発が活発に行われている。カラー表示を実現する方法としては、一般にカラーフィルタ方式とフィールドシーケンシャル方式がある。カラーフィルタ方式は、バックライトとして白色光源を用い、Ｒ・Ｇ・Ｂのマイクロカラーフィルタを各画素に付随させることによりカラー表示を実現させるものである。これに対し、フィールドシーケンシャル方式は、バックライトをＲ・Ｇ・Ｂ・Ｒ・Ｇ・Ｂ…と時間的に切り替え、それに同期させて液晶の白黒シャッターを開閉し、網膜の残像効果により色を時間的に混合させ、これによりカラー表示を実現させるものである。このフィールドシーケンシャル方式は、１画素でカラー表示ができ、透過率の低いカラーフィルタを用いなくてすむので、明るく高精細なカラー表示が可能となり、低消費電力および低コストを実現することができる点で有用である。
【０００３】
従来、フィールドシーケンシャル方式では、複数のゲート線を順に走査して書き込みを行った後に、また複数のゲート線を順に走査して消去を行っている。また、画像表示の均一性のため、光源を常時点灯している。しかしながら、最初に走査したゲート線と最後に走査したゲート線とで輝度に違いが生じたり、また液晶が直前のサブフレームでの液晶の駆動状態の影響を受けて、表示すべき色とは異なる色が表示されてしまい、色再現性が低下したりするという問題がある。また、順に書き込んで順に消去するのでは、書き込みおよび消去に時間がかかりすぎるという問題がある。さらに、消去の際にも光源が点灯していることになり、光源からの光を有効に利用できないという問題もある。
【０００４】
そこで、各画素での輝度のバラツキおよび色再現性の低下を抑えることを目的として、各サブフレームの最後で次のサブフレームの直前にすべての画素にリセット信号を書き込む駆動方法が提案されている（例えば特許文献１および特許文献２参照）。
また、光の利用効率の向上を目的として、最後のゲート線に電圧を印加して書き込みを行った後に光源を点灯して、最初のゲート線に電圧を印加して消去を行った直後に光源を消灯する駆動方法が提案されている（例えば特許文献３参照）。
さらに、光の利用効率を高め、消去に要する時間を削減することを目的として、消去処理時に、複数の画素電極の同時選択による液晶への電圧印加を行い、光源を全ての画素電極へのデータ書き込み走査後にのみ点灯する駆動方法が提案されている（例えば特許文献４参照）。
【０００５】
フィールドシーケンシャル方式では、複数色の光源が順次点灯するため、動きの速い動画を表示した場合に、色が分離して見える現象、いわゆるカラーブレイクが発生し、画像の品質が著しく低下するという問題がある。この問題を解決するためには、上述したように全てのゲート線への書き込み後に光源を点灯する場合には、複数色の光源の各点灯期間の間隔を短くすればよい。
【０００６】
また、液晶表示装置においては、動画の表示の際の輪郭ぼけを低減する方法として、表示領域を複数に分割して、複数の分割表示領域に対応する発光分割領域毎に光源を順次点灯させる方法が提案されている（例えば特許文献５および特許文献６参照）。
【０００７】
【特許文献１】特開平５−２６５４０３号公報
【特許文献２】特開２００４−２０６００３号公報
【特許文献３】特開２００１−２３５７６６号公報
【特許文献４】特開２００３−５１５３号公報
【特許文献５】特開２００４−６２１３４号公報
【特許文献６】特開２００２−８２３２６号公報
【発明の開示】
【発明が解決しようとする課題】
【０００８】
発光分割領域毎に光源を順次点灯させる場合に、すべての分割表示領域に１色ずつＲＧＢ３色の画像データを順次書き込もうとすると、すべての分割表示領域にて赤色の画像データを順次書き込み、次いですべての分割表示領域にて緑色の画像データを順次書き込み、続いてすべての分割表示領域にて青色の画像データを順次書き込むことになる。この場合、上記の場合よりも、すべての分割表示領域にＲＧＢ３色の画像データを書き込むのに要する時間を短くすることができる。しかしながら、複数色の光源の各点灯期間の間隔を短くするのは困難である。
【０００９】
本発明は、上記実情に鑑みてなされたものであり、カラーブレイクを抑制することが可能な液晶表示装置の駆動方法を提供することを主目的とする。
【課題を解決するための手段】
【００１０】
上記目的を達成するために、本発明は、複数の連続するゲート線を有する２ｎ（ｎは２〜４の整数）個の領域に分割され、上記領域毎に複数色の光源が設けられた液晶表示装置の駆動方法であって、各サブフレーム中に、上記１個の領域の複数のゲート線に順に電圧を印加して複数のスイッチング素子を順にオンするとともに、複数のソース線に第一の極性の電圧を印加する書き込み期間と、上記書き込み期間後に、上記強誘電性液晶が応答するのを待つ液晶応答期間と、上記液晶応答期間後に、上記領域に設けられた１色の光源を点灯させる点灯期間と、上記点灯期間後に、上記領域の複数のゲート線に同時に電圧を印加して上記複数のスイッチング素子を同時にオンするとともに、上記複数のソース線に同時に上記第一の極性に対して逆極性の第二の極性の電圧またはゼロ電圧のいずれかを印加する消去期間とを有し、上記２ｎ個の領域のうち任意の２個の領域を１組として、各組の領域にて領域毎に１色ずつ書き込み期間を交互に設け、２ｎ個の領域にて組毎に複数色ずつ書き込み期間を順に設けることを特徴とする液晶表示装置の駆動方法を提供する。
【００１１】
本発明によれば、複数のゲート線が分割された２ｎ個の領域のうち任意の２個の領域を１組として、各組の領域にて領域毎に１色ずつ書き込み期間を交互に設け、２ｎ個の領域にて組毎に複数色ずつ書き込み期間を順に設けるので、複数色の光源のそれぞれの点灯期間の間隔を短縮することができ、カラーブレイクを抑制することができる。
【００１２】
上記発明においては、上記書き込み期間が、上記液晶応答期間、点灯期間および消去期間の合計時間以上であることが好ましい。書き込み期間が、液晶応答期間、点灯期間および消去期間の合計時間以上であるので、効率良く書き込み走査を行うことができるからである。
【００１３】
また本発明においては、ある１個の領域の上記書き込み期間後、上記領域以外の領域の複数のゲート線に同時に電圧を印加して上記複数のスイッチング素子を同時にオンするとともに、上記複数のソース線に同時にゼロ電圧を印加する第１初期化期間を有していてもよい。自発分極を有する液晶を用いた場合、１フレーム中に第１初期化期間を複数回設けることにより、各画素の電荷量を均等化することができるからである。これにより、電荷のバランスが悪くなって、液晶の応答性が低下するのを防ぐことができる。
【００１４】
さらに本発明においては、１フレーム中、最後のサブフレームの上記消去期間後に、上記１個の領域の複数のゲート線に同時に電圧を印加して上記複数のスイッチング素子を同時にオンしたまま、少なくとも上記複数のソース線に同時にゼロ電圧を印加して保持する第２初期化期間を有していてもよい。この第２初期化期間では、上記複数のゲート線に同時に電圧を印加する時間は、液晶の応答に要する時間よりも長くされる。自発分極を有する液晶を用いた場合、第２初期化期間にて、液晶の応答時間よりも長く、ゲート線をオンにしておくことにより、各画素の電荷量を均等化することができるからである。これにより、電荷のバランスが悪くなって、液晶の応答性が低下するのを防ぐことができる。
【００１５】
上記の場合、上記第２初期化期間が、上記１個の領域の複数のゲート線に同時に電圧を印加して上記複数のスイッチング素子を同時にオンしたまま、上記複数のソース線に同時に上記第二の極性の電圧を印加して保持する逆極性電圧初期化期間と、上記逆極性電圧初期化期間後に、上記１個の領域の複数のゲート線に同時に電圧を印加して上記複数のスイッチング素子を同時にオンしたまま、上記複数のソース線に同時にゼロ電圧を印加して保持するゼロ電圧初期化期間とを有していてもよい。これにより、各画素の電荷量を均等化することができるからである。
【００１６】
また本発明においては、１フレーム中、最後のサブフレームの上記消去期間後に、上記１個の領域の複数のゲート線に同時に電圧を印加して上記複数のスイッチング素子を同時にオンするとともに、上記複数のソース線に同時に上記第二の極性の電圧を印加して保持する逆極性電圧保持期間を有していてもよい。最後のサブフレームの消去期間後に逆極性電圧保持期間を有し、この逆極性電圧保持期間にて、各画素における液晶に一斉に、書き込み期間での印加電圧の極性に対して逆極性である第二の極性の電圧を印加して保持するので、電荷の偏りを抑え、焼き付きを防ぐことができるからである。
【００１７】
さらに本発明においては、１フレーム中、最後のサブフレームの上記消去期間後に、上記１個の領域の複数のゲート線に同時に電圧を印加して上記複数のスイッチング素子を同時にオンするとともに、上記複数のソース線に同時に上記第一の極性の電圧を印加して保持する第一保持期間と、上記領域の複数のゲート線に同時に電圧を印加して上記複数のスイッチング素子を同時にオンするとともに、上記複数のソース線に同時に上記第二の極性の電圧を印加して保持する第二保持期間とを交互に有する交互電圧印加期間を有していてもよい。この場合、ある１個の領域の第一保持期間を、上記領域に隣接する領域の点灯期間以外に設け、上記書き込み期間にて書き込むデータおよび上記交互電圧印加期間にて書き込むデータが異なることが好ましい。
最後のサブフレームの消去期間後に交互電圧印加期間を有し、この交互電圧印加期間にて、各画素における液晶に一斉に、互いに逆極性である第一の極性および第二の極性の電圧を交互に印加するので、静止画を長時間表示する場合に、電荷の偏りを抑え、焼き付きを防ぐことができるからである。また、書き込み期間にて書き込むデータと交互電圧印加期間にて書き込むデータとが異なるので、電荷の偏りを効果的に抑制することができる。
【００１８】
上記の場合、上記交互電圧印加期間にて書き込むデータが、フレーム毎にランダムに異なることが好ましい。これにより、電荷の偏りをより一層抑制することができるからである。
【００１９】
また本発明においては、先のサブフレームの上記書き込み期間での走査順と、次のサブフレームの上記書き込み期間での走査順とが逆であってもよい。これにより、各ゲート線に沿った画素の電極間に電圧が印加される時間を平均化することができるからである。
【００２０】
さらに本発明においては、ある１個の領域の上記書き込み期間と、この領域に隣接する領域の上記点灯期間とが重複する場合に、上記ある１個の領域の書き込み期間にて、この領域に隣接する領域が設けられている側とは反対側に位置する上記ゲート線から走査してもよい。これにより、光漏れを防ぐことができるからである。
【００２１】
また本発明においては、単安定性を示し、かつ、ハーフＶ字型スイッチング特性を示す強誘電性液晶を用いることが好ましい。単安定性を示し、かつ、ハーフＶ字型スイッチング特性を示す強誘電性液晶を用いた場合には、白黒シャッターとしての開口時間を十分に長くとることができ、明るいカラー表示の液晶表示装置を実現することができるからである。
【００２２】
本発明は、また、２ｎ（ｎは２〜４の整数）個の領域に分割された複数のゲート線と、複数のソース線と、上記ゲート線およびソース線に接続され、画素毎に配置された複数のスイッチング素子と、上記スイッチング素子に接続され、画素毎に配置された複数の画素電極と、上記画素電極に対向する位置に配置された対向電極と、上記画素電極および対向電極間に配置された液晶と、上記複数のゲート線に接続され、走査信号を印加するゲートドライバと、上記複数のソース線に接続され、画像信号を印加するソースドライバとを有する液晶パネル、ならびに、上記液晶パネルに対して光を照射し、上記領域毎に設けられた複数色の光源、ならびに、上記ゲートドライバ、ソースドライバおよび光源に接続され、上述の液晶表示装置の駆動方法によって液晶表示装置を駆動する制御部を有することを特徴とする液晶表示装置を提供する。
【００２３】
本発明の液晶表示装置は、上述の液晶表示装置の駆動方法によって駆動されるので、複数の光源の点灯期間の間隔を短縮することができ、カラーブレイクを抑制することができる。
【発明の効果】
【００２４】
本発明においては、複数のゲート線が分割された２ｎ個の領域のうち任意の２個の領域を１組として、各組の領域にて領域毎に１色ずつ書き込み期間を交互に設け、２ｎ個の領域にて組毎に複数色ずつ書き込み期間を順に設けるので、カラーブレイクを抑制することができるという効果を奏する。
【発明を実施するための最良の形態】
【００２５】
以下、本発明の液晶表示装置の駆動方法および液晶表示装置について、詳細に説明する。
【００２６】
Ａ．液晶表示装置の駆動方法
本発明の液晶表示装置の駆動方法は、複数の連続するゲート線を有する２ｎ（ｎは２〜４の整数）個の領域に分割され、上記領域毎に複数色の光源が設けられた液晶表示装置の駆動方法であって、各サブフレーム中に、上記１個の領域の複数のゲート線に順に電圧を印加して複数のスイッチング素子を順にオンするとともに、複数のソース線に第一の極性の電圧を印加する書き込み期間と、上記書き込み期間後に、上記強誘電性液晶が応答するのを待つ液晶応答期間と、上記液晶応答期間後に、上記領域に設けられた１色の光源を点灯させる点灯期間と、上記点灯期間後に、上記領域の複数のゲート線に同時に電圧を印加して上記複数のスイッチング素子を同時にオンするとともに、上記複数のソース線に同時に上記第一の極性に対して逆極性の第二の極性の電圧またはゼロ電圧のいずれかを印加する消去期間とを有し、上記２ｎ個の領域のうち任意の２個の領域を１組として、各組の領域にて領域毎に１色ずつ書き込み期間を交互に設け、２ｎ個の領域にて組毎に複数色ずつ書き込み期間を順に設けることを特徴とするものである。
【００２７】
本発明の液晶表示装置の駆動方法について図面を参照しながら説明する。
図１は、液晶表示装置の回路図である。図１に例示する回路は、互いに絶縁された状態でマトリクス状に配置されたｊ行のゲート線Ｇ１，Ｇ２，…Ｇｊおよびｋ列のソース線Ｓ１，Ｓ２，…Ｓｋと、ｊ行のゲート線Ｇ１，Ｇ２，…Ｇｊに接続されたゲートドライバ２と、ｋ列のソース線Ｓ１，Ｓ２，…Ｓｋに接続されたソースドライバ３とを備えている。また、これらのゲート線Ｇ１，Ｇ２，…Ｇｊおよびソース線Ｓ１，Ｓ２，…Ｓｋの各交点の近傍の各画素には、ゲート線Ｇ１，Ｇ２，…Ｇｊおよびソース線Ｓ１，Ｓ２，…Ｓｋに接続された状態でスイッチング素子４がそれぞれ配置されており、各スイッチング素子４には画素電極５がそれぞれ接続されている。
【００２８】
ゲートドライバはゲート線に電圧を印加し（走査信号を供給し）、ソースドライバはソース線に正極性または負極性の電圧を印加する（画像信号を供給する）。このとき、ソース線に、任意の色を混色により表示するための複数の単位色のうちの１つの単位色に対応する画像信号を供給する。これにより、ゲートドライバによって複数のゲート線に順に電圧を印加して複数のスイッチング素子をゲート線単位で順にオンするとともに、ソースドライバによって複数のソース線に正極性または負極性の電圧を印加して、スイッチング素子および画素電極を介して液晶に正極性または負極性の電圧を印加して液晶を駆動する。すなわち、各ゲート線に沿った画素の画素電極および対向電極間に画像信号に対応した電圧が印加され、画像データがゲート線に沿った各画素に書き込まれ、これに対する液晶の応答の程度により、各画素の光の透過率が制御される。
【００２９】
図２は、図１に示す回路図を用いたフィールドシーケンシャル方式による液晶表示装置の駆動方法の一例を示すタイミングチャートである。なお、液晶としては、図３(b)に例示するように正極性の電圧を印加したときにのみ液晶分子が動作する強誘電性液晶を用いることとする。
【００３０】
図２において、Ｓｃａｎは各領域のｍ行のゲート線Ｇ１，Ｇ２，…Ｇｍを走査する様子を模式的に示すものであり、ＬＥＤは光源（ＲＧＢ３色の光源）の点灯のタイミングを示すものである。また、１つのフルカラーの静止画像が表示される期間を１フレームＦとし、１つのＲＧＢ各色の静止画像が表示される期間をサブフレームＳＦＲ，ＳＦＧ，ＳＦＢとする。
【００３１】
図１に示すように、ｊ行のゲート線Ｇ１，Ｇ２，…Ｇｊは、ｍ行ずつ４個の領域Ａ１〜Ａ４に分割されており、図示しないが各領域にはそれぞれ複数色の光源が設けられている。この４個の領域Ａ１〜Ａ４は、図２に例示するように隣接する２個の領域を１組とする。ここでは、隣接する２個の領域Ａ１，Ａ２を第１組、隣接する２個の領域Ａ３，Ａ４を第２組とする。そして、各組の領域にて領域毎に１色ずつ書き込み期間を交互に設け、２ｎ個の領域にて組毎に複数色ずつ書き込み期間を順に設ける。
【００３２】
まず、第１組の領域Ａ１では、サブフレームＳＦＲにおいて、ゲートドライバ２によってｍ行のゲート線Ｇ１，Ｇ２，…Ｇｍに第ｍ行から第１行の順に電圧を印加して複数のスイッチング素子４をゲート線単位で順にオンするとともに、ソースドライバ３によってｋ列のソース線Ｓ１，Ｓ２，…Ｓｋに正極性の電圧を印加して、スイッチング素子４および画素電極５を介して液晶に正極性の電圧を印加して液晶を駆動する。このように、１個の領域の複数のゲート線に順に電圧を印加して複数のスイッチング素子を順にオンするとともに、複数のソース線に第一の極性（図２においては正極性とする。）の電圧を印加する期間が書き込み期間Ｔａである。
【００３３】
次いで、ゲートドライバ２によって最後のゲート線Ｇ１に電圧を印加してこのゲート線Ｇ１に沿ったスイッチング素子４をオンするとともに、ソースドライバ３によってｋ列のソース線Ｓ１，Ｓ２，…Ｓｋに正極性の電圧を印加して、スイッチング素子４および画素電極５を介して液晶に正極性の電圧を印加して、液晶を駆動させる。このとき、先に電圧が印加されたｍ行目の画素の液晶は十分に時間が経過しているため、既に十分に応答した状態になっている。このため、１行目のゲート線Ｇ１に沿った液晶が応答するまで、待つ必要がある。このように、書き込み期間後に最後の行の液晶が応答するのを待つ期間が液晶応答期間Ｔｂである。
【００３４】
次いで、液晶応答期間Ｔｂ後、最後のゲート線Ｇ１に沿った画素における液晶が十分に駆動した後に、赤色の光源から赤色光Ｒを一定時間だけ照射して、赤色画像が認識されるようにする。このように、液晶応答期間後に光源を点灯させる期間が点灯期間Ｔｃである。
【００３５】
次いで、ｍ行のゲート線Ｇ１，Ｇ２，…Ｇｍに同時に電圧を印加して複数のスイッチング素子４を同時にオンするとともに、ｋ列のソース線Ｓ１，Ｓ２，…Ｓｋに同時に負極性の電圧を印加して、液晶の駆動状態をリセットする。このように、点灯期間後に、１個の領域の複数のゲート線に同時に電圧を印加して複数のスイッチング素子を同時にオンするとともに、複数のソース線に同時に第二の極性の電圧またはゼロ電圧のいずれか（図２においては負極性の電圧とする。）を印加する期間が消去期間Ｔｄである。
このとき、領域Ａ2では赤色の画像データの書き込み中であるため、一瞬、領域Ａ2の書き込み走査は中断する。
【００３６】
次に、サブフレームＳＦＧおよびＳＦＢにおいても、上記サブフレームＳＦＲと同様に、書き込み、液晶応答、点灯、および消去を行う。続いて、非選択期間Ｔｈとされる。
【００３７】
また、第１組の領域Ａ２では、領域Ａ１と同様にして、書き込み、液晶応答、点灯、消去、書き込み、液晶応答、点灯、消去、書き込み、液晶応答、点灯および消去を行い、続いて非選択とされる。
【００３８】
第１組の領域Ａ１，Ａ２では、領域Ａ１のサブフレームＳＦＲの書き込み期間Ｔａに続いて、領域Ａ２のサブフレームＳＦＲの書き込み期間Ｔａが設けられている。また、領域Ａ２のサブフレームＳＦＲの書き込み期間Ｔａに続いて、領域Ａ１のサブフレームＳＦＧの書き込み期間Ｔａが設けられている。すなわち、書き込み期間が、領域Ａ１のサブフレームＳＦＲの書き込み期間Ｔａ、領域Ａ２のサブフレームＳＦＲの書き込み期間Ｔａ、領域Ａ１のサブフレームＳＦＧの書き込み期間Ｔａ、領域Ａ２のサブフレームＳＦＧの書き込み期間Ｔａ、領域Ａ１のサブフレームＳＦＢの書き込み期間Ｔａ、領域Ａ２のサブフレームＳＦＢの書き込み期間Ｔａの順に設けられている。
このように、各組の領域では、まず赤色の画像データを２個の領域に順に書き込み、次いで緑色の画像データを２個の領域に順に書き込み、最後に青色の画像データを２個の領域に順に書き込んでいる。すなわち、各組の領域にて領域毎に１色ずつ書き込み期間を交互に設けている。
【００３９】
また、第２組の領域Ａ３では、第１組の領域Ａ１と同様にして、書き込み、液晶応答、点灯、消去、書き込み、液晶応答、点灯、消去、書き込み、液晶応答、点灯および消去を行い、続いて非選択とされる。
さらに、第２組の領域Ａ４でも、第１組の領域Ａ１と同様にして、書き込み、液晶応答、点灯、消去、書き込み、液晶応答、点灯、消去、書き込み、液晶応答、点灯および消去を行い、続いて非選択とされる。
【００４０】
第２組の領域Ａ３，Ａ４では、第１組の領域Ａ１，Ａ２と同様に、書き込み期間が、領域Ａ３のサブフレームＳＦＲの書き込み期間Ｔａ、領域Ａ４のサブフレームＳＦＲの書き込み期間Ｔａ、領域Ａ３のサブフレームＳＦＧの書き込み期間Ｔａ、領域Ａ４のサブフレームＳＦＧの書き込み期間Ｔａ、領域Ａ３のサブフレームＳＦＢの書き込み期間Ｔａ、領域Ａ４のサブフレームＳＦＢの書き込み期間Ｔａの順に設けられている。
【００４１】
さらに、第１組の領域Ａ２と第２組の領域Ａ３とでは、領域Ａ２のサブフレームＳＦＢの書き込み期間Ｔａに続いて、領域Ａ３のサブフレームＳＦＲの書き込み期間Ｔａが設けられている。また、第２組の領域Ａ４と第１組の領域Ａ１とでは、領域Ａ４のサブフレームＳＦＢの書き込み期間Ｔａに続いて、領域Ａ１のサブフレームＳＦＲの書き込み期間Ｔａが設けられている。すなわち、書き込み期間が、領域Ａ１のサブフレームＳＦＲの書き込み期間Ｔａ、領域Ａ２のサブフレームＳＦＲの書き込み期間Ｔａ、領域Ａ１のサブフレームＳＦＧの書き込み期間Ｔａ、領域Ａ２のサブフレームＳＦＧの書き込み期間Ｔａ、領域Ａ１のサブフレームＳＦＢの書き込み期間Ｔａ、領域Ａ２のサブフレームＳＦＢの書き込み期間Ｔａ、領域Ａ３のサブフレームＳＦＲの書き込み期間Ｔａ、領域Ａ４のサブフレームＳＦＲの書き込み期間Ｔａ、領域Ａ３のサブフレームＳＦＧの書き込み期間Ｔａ、領域Ａ４のサブフレームＳＦＧの書き込み期間Ｔａ、領域Ａ３のサブフレームＳＦＢの書き込み期間Ｔａ、領域Ａ４のサブフレームＳＦＢの書き込み期間Ｔａの順に繰り返し設けられている。
このように、第１組の領域に３色の画像データを順に書き込み、次いで第２組の領域に３色の画像データを順に書き込んでいる。すなわち、２ｎ個の領域にて組毎に複数色ずつ書き込み期間を順に設けている。
【００４２】
１個の領域では、一連の駆動（書き込み、液晶応答、点灯、消去、書き込み、液晶応答、点灯、消去、書き込み、液晶応答、点灯、消去、および非選択）を、光源から照射する光の色ＲＧＢ、および表示する画像を変えながら繰り返して行なう。また、１組の領域では、１色ずつ画像データを書き込む。そして、２ｎ個の領域において、１組毎にＲＧＢ３色ずつ画像データを書き込む。このような一連の駆動を繰り返し行なうことにより、色の異なる画像を視覚的に混色させてフルカラー画像として認識させることができる。
【００４３】
本発明によれば、任意の２個の領域を１組として、各組の領域にて領域毎に１色ずつ書き込み期間を交互に設け、２ｎ個の領域にて組毎に複数色ずつ書き込み期間を順に設けるので、複数色の光源のそれぞれの点灯期間の間隔を短縮することができ、カラーブレイクを抑制することができる。例えば図２においては、いずれの領域Ａ１〜Ａ４においても、赤色Ｒの光源の点灯期間Ｔｃと緑色Ｇの光源の点灯期間Ｔｃとの間隔、および、緑色Ｇの光源の点灯期間Ｔｃと青色Ｂの光源の点灯期間Ｔｃとの間隔を短縮することができる。
【００４４】
一方、例えば２ｎ個の領域にて１色ずつ書き込み期間を順に設けた場合には、ＲＧＢ３色の画像データを書き込む際には、２ｎ個の領域に赤色の画像データを順に書き込み、その後に２ｎ個の領域に緑色の画像データを順に書き込み、続いて２ｎ個の領域に青色の画像データを順に書き込むことになるので、３色の光源のそれぞれの点灯期間の間隔を短縮することは困難である。
【００４５】
本発明においては、任意の２個の領域を１組として、各組の領域にて領域毎に１色ずつ書き込み期間を交互に設け、２ｎ個の領域にて組毎に複数色ずつ書き込み期間を順に設けるので、ＲＧＢ３色の画像データを書き込む際には、ある１組の領域（２個の領域）に赤色の画像データを順に書き込み、その後にその組の領域（２個の領域）に緑色の画像データを順に書き込み、続いてその組の領域（２個の領域）に青色の画像データを順に書き込み、そして次の１組の領域（２個の領域）に赤色の画像データを順に書き込む。したがって、複数色の光源のそれぞれの点灯期間の間隔を短縮することができるのである。
消去期間は液晶の応答時間程度の短い時間でよく、本発明においては高速応答性を示す液晶を用いるので、消去期間をより短くすることができる。
したがって本発明においては、カラーブレイクを抑制することが可能である。
【００４６】
また、消去期間が短いので、液晶に電圧が印加される時間を短くすることができ、焼き付きを抑制することができる。
さらに、点灯期間後に消去期間を有し、各画素における液晶の駆動状態が一斉にリセットされるので、先のサブフレームでの画像表示による次のサブフレームでの画像表示の変動を完全になくすことができ、再現性の良い階調表示を実現することが可能である。
【００４７】
また本発明においては、図２に例示するように、書き込み期間が、液晶応答期間、点灯期間および消去期間の合計時間以上であることが好ましい。この場合、液晶応答期間、点灯期間および消去期間を、書き込み期間内に設けることができる。
例えば、第１組の領域Ａ１，Ａ２では、領域Ａ１のサブフレームＳＦＲの液晶応答期間Ｔｂ、点灯期間Ｔｃ、および消去期間Ｔｄが、領域Ａ２のサブフレームＳＦＲの書き込み期間Ｔａ内に設けられている。同様に、領域Ａ１のサブフレームＳＦＧの液晶応答期間Ｔｂ、点灯期間Ｔｃ、および消去期間Ｔｄが、領域Ａ２のサブフレームＳＦＧの書き込み期間Ｔａ内に設けられ、領域Ａ１のサブフレームＳＦＢの液晶応答期間Ｔｂ、点灯期間Ｔｃ、および消去期間Ｔｄが、領域Ａ２のサブフレームＳＦＢの書き込み期間Ｔａ内に設けられている。すなわち、書き込み期間が、液晶応答期間、点灯期間および消去期間の合計時間と等しくなっている。
これにより、ある１個の領域にて１色の画像データを書き込む書き込み期間中に、他の領域にて液晶応答期間、点灯期間および消去期間を設けることができる。また、１組の領域においては、一方の領域にて１色の画像データを書き込む書き込み期間中に、他方の領域にて液晶応答期間、点灯期間および消去期間を設けることができる。したがって、書き込み走査をしていない時間を削減するまたは無くすことができ、効率良く書き込み走査を行うことができる。
本発明においては、消去期間にて、各画素における液晶の駆動状態を一斉にリセットするので、書き込み期間にて各画素に書き込まれた画像データを消去するのに時間を要しない。このように消去期間を短縮することができるので、書き込み期間を、液晶応答期間、点灯期間および消去期間の合計時間以上とすることができるのである。
【００４８】
以下、本発明の液晶表示装置の駆動方法における各期間および本発明に用いられる液晶について詳細に説明する。
【００４９】
１．書き込み期間
本発明の液晶表示装置の駆動方法は、各サブフレーム中に、１個の領域の複数のゲート線に順に電圧を印加して複数のスイッチング素子を順にオンするとともに、複数のソース線に第一の極性の電圧を印加する書き込み期間を有する。
【００５０】
ゲート線に１行ずつ電圧を順次印加して（走査信号を順次供給して）、選択状態とする。すなわち、１個の領域の複数のゲート線は線順次で走査される。また、ソース線には第一の極性（正極性または負極性）の電圧を印加する（画像信号を供給する）。これにより、ゲート線に沿った各画素の画素電極および対向電極間に画像信号に対応した電圧が印加され、すなわち、液晶には画素電極および対向電極の差分に相当する電圧が印加され、画像データがゲート線に沿った各画素に書き込まれる。各画素において、液晶は画素電極および対向電極間の電位差に応じた応答となる。この液晶の応答の程度により、各画素の光の透過率が制御される。
【００５１】
第一の極性の電圧としては、正極性および負極性のいずれの電圧であってもよい。
【００５２】
書き込み期間での走査順としては、特に限定されるものではない。
例えば、先のサブフレームの書き込み期間での走査順と、次のサブフレームの書き込み期間での走査順とが逆であってもよい。
【００５３】
図４は、図１に示す回路図を用いたフィールドシーケンシャル方式による液晶表示装置の駆動方法の一例を示すタイミングチャートであり、先のサブフレームの書き込み期間での走査順と、次のサブフレームの書き込み期間での走査順とが逆になっている例である。なお、液晶としては、図３(b)に例示するように正極性の電圧を印加したときにのみ液晶分子が動作する強誘電性液晶を用いることとする。また、図４中の記号は、図２中の記号と同様である。
図４に示す例においては、領域Ａ１では、まず先のフレームＦ１では、サブフレームＳＦＲにて、第ｍ行、第ｍ−１行、第ｍ−２行、…、第１行の順にゲート線に電圧を印加する。次にサブフレームＳＦＧにて、第１行、第２行、第３行、…、第ｍ行の順にゲート線に電圧を印加する。続いてサブフレームＳＦＢにて、第ｍ行、第ｍ−１行、第ｍ−２行、…、第１行の順にゲート線に電圧を印加する。そして、次のフレームＦ２では、サブフレームＳＦＲにて、第１行、第２行、第３行、…、第ｍ行の順にゲート線に電圧を印加する。次いで、図示しないが次のフレームＦ２のサブフレームＳＦＲにて、第ｍ行、第ｍ−１行、第ｍ−２行、…、第１行の順にゲート線に電圧を印加する。続いて、次のフレームＦ２のサブフレームＳＦＧにて、第１行、第２行、第３行、…、第ｍ行の順にゲート線に電圧を印加する。
【００５４】
このように、先のサブフレームの書き込み期間での走査順と、次のサブフレームの書き込み期間での走査順とが逆である場合には、各ゲート線に沿った画素の画素電極および対向電極間に電圧が印加される時間を平均化することができる。
【００５５】
また例えば、ある１個の領域の上記書き込み期間と、この領域に隣接する領域の上記点灯期間とが重複する場合に、上記ある１個の領域の書き込み期間にて、この領域に隣接する領域が設けられている側とは反対側に位置する上記ゲート線から走査してもよい。
【００５６】
図５は、図１に示す回路図を用いたフィールドシーケンシャル方式による液晶表示装置の駆動方法の一例を示すタイミングチャートであり、ある１個の領域の書き込み期間にて、この領域に隣接する領域が設けられている側とは反対側に位置するゲート線から走査する例である。なお、液晶としては、図３(b)に例示するように正極性の電圧を印加したときにのみ液晶分子が動作する強誘電性液晶を用いることとする。また、図５中の記号は、図２中の記号と同様である。
図５に示す例において、例えば領域Ａ3の各書き込み期間Ｔaについては、領域Ａ3のサブフレームＳＦRの書き込み期間Ｔaと領域Ａ2のサブフレームＳＦBの点灯期間Ｔcとが重複しており、領域Ａ3のサブフレームＳＦRの書き込み期間Ｔaにて、第ｍ行、第ｍ−１行、第ｍ−２行、…、第１行の順にゲート線を走査している。すなわち、領域Ａ3の書き込み期間にて、領域Ａ3に隣接する領域Ａ2が設けられている側とは反対側に位置するゲート線から走査している。また、領域Ａ3のサブフレームＳＦGの書き込み期間Ｔaと領域Ａ4のサブフレームＳＦRの点灯期間Ｔcとが重複し、領域Ａ3のサブフレームＳＦBの書き込み期間Ｔaと領域Ａ4のサブフレームＳＦGの点灯期間Ｔcとが重複しており、領域Ａ3のサブフレームＳＦG、ＳＦBの各書き込み期間Ｔaにて、第１行、第２行、第３行、…、第ｍ行の順にゲート線を走査している。すなわち、領域Ａ3の書き込み期間にて、領域Ａ3に隣接する領域Ａ4が設けられている側とは反対側に位置するゲート線から走査している。これにより、隣接する領域Ａ2、Ａ4にて光源が点灯している間に、書き込み走査を行っている領域Ａ3で光漏れが生じるのを防ぐことができる。
【００５７】
このように、ある１個の領域の書き込み期間と、この領域に隣接する領域の点灯期間とが重複する場合に、ある１個の領域の書き込み期間にて、この領域に隣接する領域が設けられている側とは反対側に位置するゲート線から走査する場合には、光漏れを防ぐことができる。
【００５８】
書き込み期間の長さとしては、特に限定されるものではないが、書き込み期間が、後述する液晶応答期間と点灯期間と消去期間との合計時間以上であることが好ましい。これにより、上述したように、効率良く書き込み走査を行うことができるからである。
書き込み期間が液晶応答期間と点灯期間と消去期間との合計時間以上である場合、書き込み期間は、上記合計時間と等しくてもよく、上記合計時間より長くてもよい。中でも、書き込み時間が、液晶応答期間と点灯期間と消去期間との合計時間と等しいことが好ましい。これにより、書き込み期間内に液晶応答期間と点灯期間と消去期間とを設けることができるとともに、逆に、液晶応答期間と点灯期間と消去期間とを合わせた期間内に書き込み期間を設けることができ、さらに効率良く走査することができるからである。
【００５９】
書き込み期間としては、液晶の種類（液晶の応答速度）、ゲート線の本数等に応じて、適宜選択される。例えば、ゲート線１行当たりの書き込み時間は４μｓ〜８μｓで設定することができる。
【００６０】
本発明においては、２ｎ個の領域のうち任意の２個の領域を１組として、各組の領域にて領域毎に１色ずつ書き込み期間を交互に設け、２ｎ個の領域にて組毎に複数色ずつ書き込み期間を順に設けている。
【００６１】
各組の領域では、領域毎に１色ずつ書き込み期間が交互に設けられていればよく、先に１色目の書き込み期間が行われる領域における、ある１色の書き込み期間と、後に１色目の書き込み期間が行われる領域における、その色の書き込み期間とは、連続していても連続していなくてもよい。中でも、図２および図４に示すように、これらの書き込み期間が連続して設けられていることが好ましい。例えば図２および図４においては、第１組の領域Ａ１，Ａ２において、領域Ａ１のサブフレームＳＦＲの書き込み期間Ｔａと、領域Ａ２のサブフレームＳＦＲの書き込み期間Ｔａとが連続している。これにより、複数色の光源のそれぞれの点灯期間の間隔を短縮することができ、カラーブレイクを効果的に抑制することができる。
【００６２】
また、２ｎ個の領域では、組毎に複数色ずつ書き込み期間が順に設けられていればよく、前の組の最後の書き込み期間と、次の組の最初の書き込み期間とは、連続していても連続していなくてもよい。
【００６３】
２．液晶応答期間
本発明の液晶表示装置の駆動方法は、各サブフレーム中に、書き込み期間後に、最後に走査されたゲート線に沿った画素において液晶の応答がほぼ完了する時間として、液晶が応答するのを待つ液晶応答期間を有する。
【００６４】
液晶応答期間としては、液晶の種類（液晶の応答速度）や、書き込み期間直前の印加電圧と、書き込み期間での印加電圧との電位差等に応じて、適宜選択される。例えば、液晶応答期間は１００μｓ〜１０００μｓで設定することができる。
【００６５】
３．点灯期間
本発明の液晶表示装置の駆動方法は、各サブフレーム中に、液晶応答期間後に、１個の領域に設けられた１色の光源を点灯させる点灯期間を有する。
【００６６】
光源としては、複数色の光源が用いられ、例えば２色以上、好ましくは３色〜５色の光を各色ずつ選択的に照射するように構成されている光源が用いられる。
また、光源（バックライト）は、サイドエッジ型および直下型のいずれも用いることができる。直下型の場合、本発明の液晶表示装置の駆動方法においては、縦方向（ソース線方向）の仕切りは必須ではない。
【００６７】
点灯期間としては、書き込み期間や、後述する逆極性電圧保持期間または交互電圧印加期間等の長さに応じて、適宜選択される。
【００６８】
４．消去期間
本発明の液晶表示装置の駆動方法は、各サブフレーム中に、点灯期間後に、１個の領域の複数のゲート線に同時に電圧を印加して複数のスイッチング素子を同時にオンするとともに、複数のソース線に同時に第一の極性に対して逆極性の第二の極性の電圧またはゼロ電圧のいずれかを印加する消去期間を有する。
【００６９】
ゲート線に一斉に電圧を印加して（走査信号を供給して）、選択状態とする。また、ソース線には第二の極性（正極性もしくは負極性）の電圧またはゼロ電圧を印加する（リセット信号を供給する）。これにより、すべての画素の画素電極および対向電極間にリセット信号に対応した電圧が印加され、リセットデータがすべての画素に書き込まれる。
【００７０】
第二の極性の電圧またはゼロ電圧のいずれを印加するかは、液晶の種類に応じて適宜選択される。例えば、後述するようなハーフＶ字型スイッチング特性を示す強誘電性液晶を用いる場合には、第二の極性の電圧を印加することができる。また例えば、後述するようなＶ字型スイッチング特性を示す強誘電性液晶や、ネマチック液晶を用いる場合には、ゼロ電圧を印加することができる。中でも、液晶の種類に限らず、第二の極性の電圧を印加した後に、ゼロ電圧を印加することが好ましい。液晶の応答速度（立ち下がり）を早くすることができるとともに、液晶の動作開始位置を揃えることができるからである。
【００７１】
第二の極性の電圧としては、第一の極性に対して逆極性の電圧であればよく、正極性および負極性のいずれの電圧であってもよい。
【００７２】
消去期間としては、通常、μｓ〜ｍｓオーダーで設定される。
【００７３】
５．第１初期化期間
本発明の液晶表示装置の駆動方法は、ある１個の領域の上記書き込み期間後、上記領域以外の領域の複数のゲート線に同時に電圧を印加して上記複数のスイッチング素子を同時にオンするとともに、上記複数のソース線に同時にゼロ電圧を印加する第１初期化期間を有していてもよい。
【００７４】
図６は、図１に示す回路図を用いたフィールドシーケンシャル方式による液晶表示装置の駆動方法の一例を示すタイミングチャートである。なお、液晶としては、図３(b)に例示するように正極性の電圧を印加したときにのみ液晶分子が動作する強誘電性液晶を用いることとする。また、図６中の記号は、図２中の記号と同様であり、図６中の太線は、ゲート線をオンするタイミングを示す。
【００７５】
まず、領域Ａ1では、フレームＦ1のサブフレームＳＦRにおいて、ｍ行のゲート線に第１行から第ｍ行の順に電圧を印加して複数のスイッチング素子をゲート線単位で順にオンするとともに、ｋ列のソース線に正極性の電圧を印加して、スイッチング素子および画素電極を介して液晶に正極性の電圧を印加して液晶を駆動する（書き込み期間Ｔa）。次に、領域Ａ1以外の領域Ａ2、Ａ3、Ａ4にて、ｍ行のゲート線に同時に電圧を印加して複数のスイッチング素子を同時にオンするとともに、ｋ列のソース線に同時にゼロ電圧を印加する（第１初期化期間Ｔg）。次いで、第１初期化期間Ｔg後、液晶の応答時間（立ち上がり時間）として液晶応答期間Ｔbを設ける。次いで、最後のゲート線に沿った画素における液晶が駆動した後に、赤色の光源から赤色光Ｒを一定時間だけ照射して、赤色画像が認識されるようにする（点灯期間Ｔc）。次いで、ｍ行のゲート線に同時に電圧を印加して複数のスイッチング素子を同時にオンするとともに、ｋ列のソース線に同時に負極性の電圧を印加して、液晶の駆動状態をリセットする（消去期間Ｔd）。
【００７６】
次に、領域Ａ1のフレームＦ1のサブフレームＳＦＧにおいて、上記サブフレームＳＦRと同様に、書き込みを行う。続いて、領域Ａ1以外の領域Ａ2、Ａ3、Ａ4にて、ｍ行のゲート線に同時に電圧を印加して複数のスイッチング素子を同時にオンするとともに、ｋ列のソース線に同時にゼロ電圧を印加する（第１初期化期間Ｔg）。そして、上記サブフレームＳＦRと同様に、液晶応答、点灯および消去を行う。
次に、領域Ａ1のフレームＦ1のサブフレームＳＦBにおいて、上記サブフレームＳＦＲと同様に、書き込みを行う。続いて、領域Ａ1以外の領域Ａ2、Ａ3、Ａ4にて、ｍ行のゲート線に同時に電圧を印加して複数のスイッチング素子を同時にオンするとともに、ｋ列のソース線に同時にゼロ電圧を印加する（第１初期化期間Ｔg）。そして、上記サブフレームＳＦRと同様に、液晶応答、点灯および消去を行う。
【００７７】
また、領域Ａ2、Ａ3、Ａ4でも、所定期間ずらして、上記領域Ａ１と同様に、書き込み、他の領域の初期化、液晶応答、点灯および消去を繰り返し行う。
この場合、非選択期間Ｔh中に、複数回第１初期化期間Ｔgが設けられる。
【００７８】
このように、ある１個の領域の上記書き込み期間後に第１初期化期間を有する場合には、１フレーム中に複数回ゼロ電圧を印加する第１初期化期間が設けられるので、不要な電荷を取り除くことができる。
以下、この理由について説明する。
すなわち、強誘電性液晶は自発分極を有する。書き込み期間にて、電圧を印加して強誘電性液晶を動作させると、自発分極の向きが反転する。各画素では、強誘電性液晶の分極によって電荷が減少する。そして、点灯期間後、消去期間にて、逆極性の電圧を印加して強誘電性液晶を動作させると、再度、自発分極の向きが反転する。各画素では、書き込み期間と同様に、強誘電性液晶の分極によって電荷が減少する。このように、同じ電圧を印加した場合でも、表示が明るかった部分では、電荷が減少してしまい、十分に電圧がかからないために電荷の偏りが発生し、他の部分に比べて強誘電性液晶の応答性が低下してしまうことがある。
これに対し、１フレーム中に複数回ゼロ電圧を印加する第１初期化期間を設けることにより、強誘電性液晶が動作して自発分極の向きが反転したときにも、強誘電性液晶の分極によって減少した電荷分を補償する電荷が供給されるため、すべての画素で電荷量を均等化することができる。その結果、強誘電性液晶の応答性が低下するのを防ぐことができる。
【００７９】
なお、書き込みを行う領域以外の領域にて一斉にゼロ電圧を印加するのは、書き込みを行う領域にもゼロ電圧を印加すると、書き込まれた画像データが変わってしまうからである。
【００８０】
６．第２初期化期間
本発明の液晶表示装置の駆動方法は、１フレーム中、最後のサブフレームの上記消去期間後に、上記１個の領域の複数のゲート線に同時に電圧を印加して上記複数のスイッチング素子を同時にオンしたまま、少なくとも上記複数のソース線に同時にゼロ電圧を印加して保持する第２初期化期間を有していてもよい。この第２初期化期間では、上記複数のゲート線に同時に電圧を印加する時間は、液晶の応答に要する時間よりも長くされる。
【００８１】
図７は、図１に示す回路図を用いたフィールドシーケンシャル方式による液晶表示装置の駆動方法の一例を示すタイミングチャートである。なお、液晶としては、図３(b)に例示するように正極性の電圧を印加したときにのみ液晶分子が動作する強誘電性液晶を用いることとする。また、図７中の記号は、図２中の記号と同様であり、図７中の太線はゲート線をオンするタイミングを示し、図７中の太枠はゲート線に電圧を印加する時間を示す。
【００８２】
まず、領域Ａ1では、フレームＦ1のサブフレームＳＦRにおいて、ｍ行のゲート線に第１行から第ｍ行の順に電圧を印加して複数のスイッチング素子をゲート線単位で順にオンするとともに、ｋ列のソース線に正極性の電圧を印加して、スイッチング素子および画素電極を介して液晶に正極性の電圧を印加して液晶を駆動する（書き込み期間Ｔa）。次いで、第１初期化期間Ｔg後、液晶の応答時間（立ち上がり時間）として液晶応答期間Ｔbを設ける。次いで、最後のゲート線に沿った画素における液晶が駆動した後に、赤色の光源から赤色光Ｒを一定時間だけ照射して、赤色画像が認識されるようにする（点灯期間Ｔc）。次いで、ｍ行のゲート線に同時に電圧を印加して複数のスイッチング素子を同時にオンするとともに、ｋ列のソース線に同時に負極性の電圧を印加して、液晶の駆動状態をリセットする（消去期間Ｔd）。
【００８３】
次に、フレームＦ1のサブフレームＳＦＧにおいて、上記サブフレームＳＦRと同様に、書き込みを行う。続いて、領域Ａ1以外の領域Ａ2、Ａ3、Ａ4にて、ｍ行のゲート線に同時に電圧を印加して複数のスイッチング素子を同時にオンするとともに、ｋ列のソース線に同時にゼロ電圧を印加する（第１初期化期間Ｔg）。そして、上記サブフレームＳＦRと同様に、液晶応答、点灯および消去を行う。
次に、フレームＦ1のサブフレームＳＦBにおいて、上記サブフレームＳＦＲと同様に、書き込みを行う。続いて、領域Ａ1以外の領域Ａ2、Ａ3、Ａ4にて、ｍ行のゲート線に同時に電圧を印加して複数のスイッチング素子を同時にオンするとともに、ｋ列のソース線に同時にゼロ電圧を印加する（第１初期化期間Ｔg）。そして、上記サブフレームＳＦRと同様に、液晶応答、点灯および消去を行う。
【００８４】
次に、ｍ行のゲート線に同時に電圧を印加して複数のスイッチング素子を同時にオンしたまま、ｋ列のソース線に同時に第二の極性の電圧を印加して保持し、さらにｋ列のソース線に同時にゼロ電圧を印加して保持する（第２初期化期間Ｔi）。この場合、非選択期間Ｔh中に、第２初期化期間Ｔiが設けられる。
【００８５】
図７に示す領域Ａ１でのタイミングチャートを図８に示す。図８において、Scanは１個の領域のｍ行のゲート線を順に走査する様子を模式的に示すものであり、Ｖｇ１，…Ｖｇｍはゲート線にそれぞれ電圧を印加するタイミングを示すものであり、ＶＬＣは液晶に印加される電圧の変化を示すものであり、Ｔ１〜Ｔｍは各ゲート線に沿った画素における透過率の変化（すなわち液晶の駆動状態）を示すものであり、ＬＥＤは光源（ＲＧＢ３色の光源）の点灯のタイミングを示すものである。また、１つのフルカラーの静止画像が表示される期間を１フレームＦとし、１つのＲＧＢ各色の静止画像が表示される期間をサブフレームＳＦＲ，ＳＦＧ，ＳＦＢとする。
【００８６】
上記第２初期化期間Ｔiでは、図８に例示するように、ｍ行のゲート線に同時に電圧を印加して複数のスイッチング素子を同時にオンしたまま、ｋ列のソース線に同時に第二の極性の電圧を印加して保持し（逆極性電圧初期化期間Ｔi1）、さらにｍ行のゲート線に同時に電圧を印加して複数のスイッチング素子を同時にオンしたまま、ｋ列のソース線に同時にゼロ電圧を印加して保持する（ゼロ電圧初期化期間Ｔi2）。
【００８７】
また、領域Ａ2、Ａ3、Ａ4でも、所定期間ずらして、上記領域Ａ１と同様に、書き込み、液晶応答、点灯および消去を繰り返し行い、さらに初期化を行う。
【００８８】
このように、ゲート線をオンしたまま少なくともゼロ電圧を印加して保持する第２初期化期間を設けることにより、確実に蓄積している電荷を吐き出すことができ、より安定に駆動することができる。
これは、自発分極を有する液晶、例えば強誘電性液晶等を用いる場合、ゲート線をオンしたまま少なくともゼロ電圧を印加して保持する第２初期化期間を設けることにより、液晶が動作して自発分極の向きが反転したときにも、液晶の分極によって減少した電荷分を補償する電荷が供給されるため、すべての画素で電荷量を均等化することができるからである。その結果、液晶の応答性が低下するのを防ぐことができる。
【００８９】
７．逆極性電圧保持期間
本発明の液晶表示装置の駆動方法は、１フレーム中、最後のサブフレームの消去期間後に、１個の領域の複数のゲート線に同時に電圧を印加して複数のスイッチング素子を同時にオンするとともに、複数のソース線に同時に第二の極性の電圧を印加して保持する逆極性電圧保持期間を有していてもよい。この逆極性電圧保持期間は、１フレーム中、１度だけ設けられる。なお、後述の交互電圧印加期間が設けられる場合は、この逆極性保持期間は設けられない。
【００９０】
１フレーム中、最後のサブフレームの消去期間にて、複数のソース線に同時に第二の極性の電圧を印加する場合には、逆極性電圧保持期間では、そのまま第二の極性の電圧を保持する。一方、１フレーム中、最後のサブフレームの消去期間にて、複数のソース線に同時にゼロ電圧を印加する場合には、逆極性電圧保持期間にて、複数のゲート線に同時に電圧を印加して複数のスイッチング素子を同時にオンするとともに、複数のソース線に同時に第二の極性の電圧を印加して保持する。
【００９１】
図４に示す領域Ａ１でのタイミングチャートを図９に示す。図９において、Ｓｃａｎは１個の領域のｍ行のゲート線Ｇ１，Ｇ２，…Ｇｍを順に走査する様子を模式的に示すものであり、Ｖｇ１，…Ｖｇｍはゲート線Ｇ１，Ｇ２，…Ｇｍにそれぞれ電圧を印加するタイミングを示すものであり、ＶＬＣは液晶に印加される電圧の変化を示すものであり、Ｔ１〜Ｔｍは各ゲート線に沿った画素における透過率の変化（すなわち液晶の駆動状態）を示すものであり、ＬＥＤは光源（ＲＧＢ３色の光源）の点灯のタイミングを示すものである。また、１つのフルカラーの静止画像が表示される期間を１フレームＦとし、１つのＲＧＢ各色の静止画像が表示される期間をサブフレームＳＦＲ，ＳＦＧ，ＳＦＢとする。
【００９２】
まず、サブフレームＳＦＲにおいて、複数のゲート線に順に電圧を印加して複数のスイッチング素子をゲート線単位で順にオンするとともに、複数のソース線に正極性（＋）の電圧を印加して、スイッチング素子および画素電極を介して液晶に正極性（＋）の電圧を印加して液晶を駆動する（書き込み期間Ｔａ）。次いで、書き込み期間Ｔａ後、液晶の応答時間（立ち上がり時間）として液晶応答期間Ｔｂを設ける。次いで、最後のゲート線に沿った画素における液晶が駆動した後に、赤色の光源から赤色光Ｒを一定時間だけ照射して、赤色画像が認識されるようにする（点灯期間Ｔｃ）。次いで、複数のゲート線に同時に電圧を印加して複数のスイッチング素子を同時にオンするとともに、複数のソース線に同時に負極性（−）の電圧を印加して、液晶の駆動状態をリセットする（消去期間Ｔｄ）。
次に、サブフレームＳＦＧにおいて、上記サブフレームＳＦＲでの走査順に対して逆に第１行から第ｍ行の順にゲート線を走査して書き込み、上記サブフレームＳＦＲと同様に液晶応答、点灯および消去を行う。次いで、サブフレームＳＦＢにおいて、上記サブフレームＳＦＲと同様に、第ｍ行から第１行の順にゲート線を走査して書き込み、液晶応答、点灯および消去を行う。
次に、複数のソース線に負極性（−）の電圧を印加したまま保持する（逆極性電圧保持期間Ｔｅ）。
【００９３】
このように、１フレーム中、最後のサブフレームの消去期間後に、１度だけ逆極性電圧保持期間を設けることにより、電荷の偏りを抑え、焼き付きを防ぐことができる。
【００９４】
逆極性電圧保持期間としては、書き込み期間、点灯期間等の長さに応じて、適宜選択される。通常、逆極性電圧保持期間は、ｍｓオーダーで設定され、例えば１ｍｓ〜５ｍｓとすることができる。
【００９５】
本発明においては、１個の領域では、先のフレームにて最後のサブフレームの消去期間が終わってから次のフレームが始まるまで非選択期間となる。この非選択期間は、光源が点灯していないので、基本的には液晶をどのように駆動しても画像表示には影響がない。この非選択期間に、焼き付きを防止することができる逆極性電圧保持期間を設けることができる。
【００９６】
８．交互電圧印加期間
本発明の液晶表示装置の駆動方法は、１フレーム中、最後のサブフレームの消去期間後に、１個の領域の複数のゲート線に同時に電圧を印加して複数のスイッチング素子を同時にオンするとともに、複数のソース線に同時に第一の極性の電圧を印加して保持する第一保持期間と、その１個の領域の複数のゲート線に同時に電圧を印加して複数のスイッチング素子を同時にオンするとともに、複数のソース線に同時に第二の極性の電圧を印加して保持する第二保持期間とを交互に有する交互電圧印加期間を有していてもよい。この交互電圧印加期間は、１フレーム中、１度だけ設けられる。なお、上記の逆極性保持期間が設けられる場合は、この交互電圧印加期間は設けられない。
【００９７】
図１０は、図１に示す回路図を用いたフィールドシーケンシャル方式による液晶表示装置の駆動方法の一例を示すタイミングチャートである。なお、液晶としては、図３(b)に例示するように正極性の電圧を印加したときにのみ液晶分子が動作する強誘電性液晶を用いることとする。また、図１０中の記号は、図２中の記号と同様である。
【００９８】
まず、第１組の領域Ａ１では、フレームＦ１のサブフレームＳＦＲにおいて、ｍ行のゲート線Ｇ１，Ｇ２，…Ｇｍに第ｍ行から第１行の順に電圧を印加して複数のスイッチング素子４をゲート線単位で順にオンするとともに、ｋ列のソース線Ｓ１，Ｓ２，…Ｓｋに正極性の電圧を印加して、スイッチング素子４および画素電極５を介して液晶に正極性の電圧を印加して液晶を駆動する（書き込み期間Ｔａ）。次いで、書き込み期間Ｔａ後、液晶の応答時間（立ち上がり時間）として液晶応答期間Ｔｂを設ける。次いで、最後のゲート線Ｇ１に沿った画素における液晶が駆動した後に、赤色の光源から赤色光Ｒを一定時間だけ照射して、赤色画像が認識されるようにする（点灯期間Ｔｃ）。次いで、ｍ行のゲート線Ｇ１，Ｇ２，…Ｇｍに同時に電圧を印加して複数のスイッチング素子４を同時にオンするとともに、ｋ列のソース線Ｓ１，Ｓ２，…Ｓｋに同時に負極性の電圧を印加して、液晶の駆動状態をリセットする（消去期間Ｔｄ）。
【００９９】
次に、サブフレームＳＦＧにおいて、上記サブフレームＳＦＲでの走査順に対して逆に第１行から第ｍ行の順にゲート線を走査して書き込み、上記サブフレームＳＦＲと同様に液晶応答、点灯および消去を行う。次いで、サブフレームＳＦＢにおいて、上記サブフレームＳＦＲと同様に、第ｍ行から第１行の順にゲート線を走査して書き込み、液晶応答、点灯および消去を行う。
【０１００】
次いで、ｋ列のソース線Ｓ１，Ｓ２，…Ｓｋに負極性の電圧を印加したまま保持し（第二保持期間Ｔ２）、ｍ行のゲート線Ｇ１，Ｇ２，…Ｇｍに同時に電圧を印加して複数のスイッチング素子４を同時にオンするとともに、ｋ列のソース線Ｓ１，Ｓ２，…Ｓｋに同時に正極性の電圧を印加して保持し（第一保持期間Ｔ１）、さらにｍ行のゲート線Ｇ１，Ｇ２，…Ｇｍに同時に電圧を印加して複数のスイッチング素子４を同時にオンするとともに、ｋ列のソース線Ｓ１，Ｓ２，…Ｓｋに同時に負極性の電圧を印加して保持する（第二保持期間Ｔ２）。これが交互電圧印加期間Ｔｆである。
このとき、領域Ａ１に隣接する領域Ａ２の点灯期間Ｔｃ以外に、第一保持期間Ｔ１を設ける。すなわち、隣接する領域Ａ２にて光源が点灯していない期間に第一保持期間Ｔ１を設ける。
また、書き込み期間にて書き込んだデータとは異なるデータを交互電圧印加期間では書き込む。
【０１０１】
また、第１組の領域Ａ２では、領域Ａ１のサブフレームＳＦＲの書き込み期間Ｔａ分だけずらして、領域Ａ１と同様にして、書き込み、液晶応答、点灯、消去、書き込み、液晶応答、点灯、消去、書き込み、液晶応答、点灯、および消去を行う。そして、領域Ａ２に隣接する領域Ａ１およびＡ３の点灯期間Ｔｃ以外に、すなわち隣接する領域Ａ１およびＡ３にて光源が点灯していない期間に、第一保持期間Ｔ１を設ける。このとき、書き込み期間にて書き込んだデータとは異なるデータを交互電圧印加期間では書き込む。
【０１０２】
また、第２組の領域Ａ３では、領域Ａ２のサブフレームＳＦＲとサブフレームＳＦＧとサブフレームＳＦＢの書き込み期間Ｔａを合わせた分だけずらして、第１組の領域Ａ１と同様にして、書き込み、液晶応答、点灯、消去、書き込み、液晶応答、点灯、消去、書き込み、液晶応答、点灯、および消去を行う。そして、領域Ａ３に隣接する領域Ａ２およびＡ４の点灯期間Ｔｃ以外に、すなわち隣接する領域Ａ２およびＡ４にて光源が点灯していない期間に、第一保持期間Ｔ１を設ける。このとき、書き込み期間にて書き込んだデータとは異なるデータを交互電圧印加期間では書き込む。
さらに、第２組の領域Ａ４では、領域Ａ３のサブフレームＳＦＲの書き込み期間Ｔａ分だけずらして、第１組の領域Ａ１と同様にして、書き込み、液晶応答、点灯、消去、書き込み、液晶応答、点灯、消去、書き込み、液晶応答、点灯、および消去を行う。そして、領域Ａ４に隣接する領域Ａ３の点灯期間Ｔｃ以外に、すなわち隣接する領域Ａ３にて光源が点灯していない期間に、第一保持期間Ｔ１を設ける。このとき、書き込み期間にて書き込んだデータとは異なるデータを交互電圧印加期間では書き込む。
【０１０３】
次に、第１組の領域Ａ１では、次のフレームＦ２のサブフレームＳＦＲにおいて、第１行から第ｍ行の順にゲート線を走査して書き込み、上記と同様に液晶応答、点灯および消去を行う。次いで、図示しないが、次のフレームＦ２のサブフレームＳＦＧでは、第ｍ行から第１行の順にゲート線を走査して書き込み、上記と同様に液晶応答、点灯および消去を行う。次いで、次のフレームＦ２のサブフレームＳＦＢでは、第１行から第ｍ行の順にゲート線を走査して書き込み、上記と同様に液晶応答、点灯および消去を行う。そして、先のフレームＦ１と同様に、交互電圧印加を行う。
【０１０４】
１個の領域では、一連の駆動（書き込み、液晶応答、点灯、消去、書き込み、液晶応答、点灯、消去、書き込み、液晶応答、点灯、消去、および交互電圧印加）を、１サブフレーム毎に書き込み期間での走査順を逆にして、光源から照射する光の色ＲＧＢ、および表示する画像を変えながら繰り返して行なう。また、１組の領域では、１色ずつ画像データを書き込む。そして、２ｎ個の領域において、１組毎にＲＧＢ３色ずつ画像データを書き込む。このような一連の駆動を繰り返し行なうことにより、色の異なる画像を視覚的に混色させてフルカラー画像として認識させることができる。
【０１０５】
図１０に示す領域Ａ１でのタイミングチャートを図１１に示す。なお、図１１中の記号は、図９中の記号と同様である。
【０１０６】
まず、サブフレームＳＦＲにおいて、複数のゲート線に順に電圧を印加して複数のスイッチング素子をゲート線単位で順にオンするとともに、複数のソース線に正極性（＋）の電圧を印加して、スイッチング素子および画素電極を介して液晶に正極性（＋）の電圧を印加して液晶を駆動する（書き込み期間Ｔａ）。次いで、書き込み期間Ｔａ後、液晶の応答時間（立ち上がり時間）として液晶応答期間Ｔｂを設ける。次いで、最後のゲート線に沿った画素における液晶が駆動した後に、赤色の光源から赤色光Ｒを一定時間だけ照射して、赤色画像が認識されるようにする（点灯期間Ｔｃ）。次いで、複数のゲート線に同時に電圧を印加して複数のスイッチング素子を同時にオンするとともに、複数のソース線に同時に負極性（−）の電圧を印加して、液晶の駆動状態をリセットする（消去期間Ｔｄ）。
次に、サブフレームＳＦＧにおいて、上記サブフレームＳＦＲでの走査順に対して逆に第１行から第ｍ行の順にゲート線を走査して書き込み、上記サブフレームＳＦＲと同様に液晶応答、点灯および消去を行う。次いで、サブフレームＳＦＢにおいて、上記サブフレームＳＦＲと同様に、第ｍ行から第１行の順にゲート線を走査して書き込み、液晶応答、点灯および消去を行う。
次に、複数のソース線に負極性（−）の電圧を印加したまま保持し（第二保持期間Ｔ２）、複数のゲート線Ｇ１，Ｇ２，…Ｇｍに同時に電圧を印加して複数のスイッチング素子４を同時にオンするとともに、複数のソース線Ｓ１，Ｓ２，…Ｓｋに同時に正極性の電圧を印加して保持し（第一保持期間Ｔ１）、さらに複数のゲート線Ｇ１，Ｇ２，…Ｇｍに同時に電圧を印加して複数のスイッチング素子４を同時にオンするとともに、複数のソース線Ｓ１，Ｓ２，…Ｓｋに同時に負極性の電圧を印加して保持する（第二保持期間Ｔ２）。これが交互電圧印加期間Ｔｆである。
【０１０７】
このように、１フレーム中、最後のサブフレームの消去期間後に、１度だけ交互電圧印加期間を有し、この交互電圧印加期間にて、各画素における液晶に一斉に、正極性および負極性の電圧を交互に印加して保持するので、静止画像を長時間表示する場合には、電荷の偏りを抑え、焼き付きを防止することが可能である。特に、交互電圧印加期間にて書き込むデータが、書き込み期間にて書き込むデータと異なっているので、効果的に電荷の偏りを抑制することができる。
【０１０８】
交互電圧印加期間では、上記書き込み期間にて書き込まれるデータとは異なるデータを書き込む。これにより、効果的に電荷の偏りを抑制することができる。
なお、交互電圧印加期間にて書き込むデータが、書き込み期間にて書き込むデータと異なるとは、交互電圧印加期間にて書き込むデータが、書き込み期間にて書き込む画像データとは全く関係のないデータであることをいう。焼き付きは、固定の画像を長時間表示していることで起こるため、画像データと関係のないデータを交互電圧印加期間で書き込むのである。この際、各ソース線には異なる電圧を印加する。交互電圧印加期間にて書き込むデータは、部分的に画像の濃淡が偏らないようなデータであることが好ましい。
【０１０９】
第二保持期間は、複数のゲート線に同時に電圧を印加して複数のスイッチング素子を同時にオンするとともに、複数のソース線に同時に第二の極性の電圧を印加して保持する期間である。図１１に例示するように、消去期間Ｔｄにて第二の極性（図１１では負極性）の電圧を印加し、続いて交互電圧印加期間Ｔｆにてそのまま第二の極性の電圧（図１１では負極性）を保持する場合、交互電圧印加期間の最初の第二保持期間は、消去期間にて印加された第二の極性の電圧をそのまま保持する期間となる。
【０１１０】
また、第一保持期間では第一の極性の電圧を印加して保持し、第二保持期間では第二の極性の電圧を印加して保持する。本発明においては、書き込み期間にて印加される電圧の極性を第一の極性とする。したがって、例えば図１１に示すように書き込み期間Ｔａにて正極性の電圧を印加する場合には、第一の極性が正極性、第二の極性が負極性となる。一方、図示しないが書き込み期間にて負極性の電圧を印加する場合には、第一の極性が負極性、第二の極性が正極性となる。
【０１１１】
交互電圧印加期間は、第一保持期間および第二保持期間を交互に有していればよく、第一保持期間および第二保持期間の順序、回数等は特に限定されるものではない。
【０１１２】
第一保持期間および第二保持期間の順序としては、図１１に例示するように交互電圧印加期間Ｔｆが第二保持期間Ｔ２から始まってもよく、図示しないが交互電圧印加期間が第一保持期間から始まってもよい。中でも、交互電圧印加期間が第二保持期間から始まることが好ましい。書き込み期間では第一の極性の電圧を印加しているので、電荷の偏りを防ぐために、交互電圧印加期間ではまず第二の極性の電圧を印加することが好ましいからである。
また、第一保持期間および第二保持期間の順序としては、図１１に例示するように交互電圧印加期間Ｔｆが第二保持期間Ｔ２で終わってもよく、図示しないが交互電圧印加期間が第一保持期間で終わってもよい。
【０１１３】
また、第一保持期間および第二保持期間の回数としては、第一保持期間および第二保持期間が交互に設けられていればよいので、第一保持期間および第二保持期間の合計回数が２回以上、第一保持期間および第二保持期間のそれぞれの回数が１回以上であればよい。第一保持期間および第二保持期間の合計回数は、上述したように２回以上であればよいが、通常は２回〜４回程度とされる。また、第一保持期間の回数は１回以上であればよいが、通常は１回〜２回程度とされる。第二保持期間の回数は１回以上であればよいが、通常は１回〜２回程度とされる。
【０１１４】
交互電圧印加期間としては、書き込み期間、点灯期間等の長さに応じて、適宜選択される。通常、交互電圧印加期間は、ｍｓオーダーで設定され、例えば１ｍｓ〜３ｍｓとすることができる。
【０１１５】
また、第一保持期間および第二保持期間の長さは、特に限定されるものではないが、すべての第一保持期間を合わせた長さよりも、すべての第二保持期間を合わせた長さのほうが長いことが好ましい。書き込み期間では第一の極性の電圧を印加しているので、電荷の偏りを防ぐために、第一の極性とは逆極性の第二の極性の電圧を印加して保持する第二保持期間をすべて合わせた長さが比較的長いことが好ましいからである。なお、すべての第二保持期間を合わせた長さが比較的短い場合であっても、印加電圧の大きさを大きくすることで、電荷の偏りを抑え、焼き付きを防ぐことは可能である。
１回の第一保持期間の長さおよび１回の第二保持期間の長さはそれぞれ、交互電圧印加期間の長さに応じて適宜選択され、通常は５００μｓ〜１０００μｓ程度で設定される。
【０１１６】
また、ある１個の領域の第一保持期間は、その領域に隣接する領域の点灯期間以外に設けられる。すなわち、隣接する領域にて光源が点灯していない期間に、第一保持期間が設けられる。隣接する領域にて光源が点灯している点灯期間に、第一保持期間が設けられると、隣接する領域から光が漏れる可能性があるからである。
【０１１７】
さらに、交互電圧印加期間にて書き込むデータは、フレーム毎にランダムに異なることが好ましい。これにより、電荷の偏りをより一層抑制することができるからである。
【０１１８】
本発明においては、上述したように、１個の領域では、先のフレームにて最後のサブフレームの消去期間が終わってから次のフレームが始まるまで非選択期間となる。この非選択期間は、光源が点灯していないので、基本的には液晶をどのように駆動しても画像表示には影響がない。この非選択期間に、焼き付きを防止することができる交互電圧印加期間を設けることができる。
【０１１９】
９．第３初期化期間
本発明の液晶表示装置の駆動方法は、逆極性電圧保持期間または交互電圧印加期間の後に、１個の領域の複数のゲート線に同時に電圧を印加して複数のスイッチング素子を同時にオンするとともに、複数のソース線に同時にゼロ電圧を印加する第３初期化期間を有していてもよい。
例えば、消去期間にてゼロ電圧を印加する場合には、逆極性電圧保持期間または交互電圧印加期間の後に第３初期化期間を設けることにより、逆極性電圧保持期間または交互電圧印加期間の直前の液晶の動作開始位置を揃えることができるからである。特に、各サブフレームの書き込み期間直前の液晶の動作開始位置を揃えることができる。
また例えば、消去期間にて第二の極性の電圧を印加する場合には、逆極性電圧保持期間または交互電圧印加期間の後に第３初期化期間を設けることにより、最初のサブフレームの書き込み期間にて、液晶の応答速度（立ち上がり）を速くすることができ、液晶の応答時間（液晶応答期間）を短縮することができるからである。
【０１２０】
また、消去期間にて第二の極性の電圧を印加する場合、逆極性電圧保持期間または交互電圧印加期間の後だけでなく、最後のサブフレーム以外のサブフレームの消去期間後にも、この第３初期化期間を設けてもよい。各サブフレームの書き込み期間にて、液晶の応答速度（立ち上がり）を速くすることができ、液晶の応答時間（液晶応答期間）を短縮することができるからである。また、第３初期化期間を、逆極性電圧保持期間または交互電圧印加期間の後、および最後のサブフレーム以外のサブフレームの消去期間後に設けることにより、各サブフレームの書き込み期間直前の液晶の動作開始位置を揃えることができるからである。
【０１２１】
第３初期化期間を、逆極性電圧保持期間または交互電圧印加期間の後に設ける場合、この第３初期化期間は、逆極性電圧保持期間または交互電圧印加期間の直後、次のフレームの直前に設けられる。また、第３初期化期間を、最後のサブフレーム以外のサブフレームの消去期間後に設ける場合、この第３初期化期間は、最後のサブフレーム以外のサブフレームの消去期間の直後、次のサブフレームの直前に設けられる。
【０１２２】
第３初期化期間を、逆極性電圧保持期間または交互電圧印加期間の後に設ける場合、逆極性電圧保持期間または交互電圧印加期間と第３初期化期間とは、いずれが長くても短くてもよい。例えば先のサブフレームの書き込み期間での走査順と、次のサブフレームの書き込み期間での走査順とが同じである場合には、逆極性電圧保持期間または交互電圧印加期間は第３初期化期間よりも長く、かつ、比較的長いほうが好ましい。この場合、走査順が早いラインでは、走査順が遅いラインに比べて、同極性の電圧が比較的長い時間印加されることになるため、逆極性電圧保持期間または交互電圧印加期間は比較的長いほうが好ましいからである。一方、例えば先のサブフレームの書き込み期間での走査順と、次のサブフレームの書き込み期間での走査順とが逆である場合には、逆極性電圧保持期間または交互電圧印加期間は第３初期化期間より長くても短くてもよい。この場合、走査順の早いラインと走査順の遅いラインとで、電圧が印加される時間が平均化されるため、逆極性電圧保持期間または交互電圧印加期間は比較的短くてもかまわないのである。
【０１２３】
また、消去期間にて第二の極性の電圧を印加する場合であって、第３初期化期間を、逆極性電圧保持期間または交互電圧印加期間の後に設けて、最後のサブフレーム以外のサブフレームの消去期間後には設けず、第３初期化期間が逆極性電圧保持期間または交互電圧印加期間よりも長い場合には、次のフレームの直前に、複数のゲート線に同時に電圧を印加して複数のスイッチング素子を同時にオンするとともに、複数のソース線に同時に第二の極性の電圧を印加してもよい。これにより、各サブフレームの書き込み期間直前の液晶の動作開始位置を揃えることができる。
【０１２４】
第３初期化期間としては、通常、μｓまたはｍｓオーダーで設定される。
【０１２５】
第３初期化期間を、最後のサブフレーム以外のサブフレームの消去期間後に設ける場合、第３初期化期間は、例えば６μｓ〜８μｓで設定することができる。また、第３初期化期間を、逆極性電圧保持期間または交互電圧印加期間の後に設ける場合であって、第３初期化期間が逆極性電圧保持期間または交互電圧印加期間よりも短い場合にも、第３初期化期間は、例えば６μｓ〜８μｓで設定することができる。
【０１２６】
また、第３初期化期間を逆極性電圧保持期間または交互電圧印加期間の後に設ける場合であって、自発分極を有する液晶、例えば強誘電性液晶等を用いる場合、第３初期化期間にて、複数のゲート線に同時にゼロ電圧を印加する時間は、液晶の応答に要する時間より長いことが好ましく、中でも液晶の応答に要する時間程度であることが好ましい。第３初期化期間にて、複数のゲート線に同時にゼロ電圧を印加する時間を液晶の応答に要する時間より長くすることにより、液晶が動作して自発分極の向きが反転したときにも、液晶の分極によって減少した電荷分を補償する電荷が供給されるため、すべての画素で電荷量を均等化することができる。その結果、液晶の応答性が低下するのを防ぐことができる。
【０１２７】
第３初期化期間にて、複数のゲート線に同時に電圧を印加する時間を、液晶の応答に要する時間程度とする場合には、複数のゲート線に同時にゼロ電圧を印加する時間は、例えば１００μｓ〜５００μｓで設定することができる。
【０１２８】
１０．その他の期間
本発明においては、図１２に例示するように、白色を表示するサブフレームＳＦWが設けられていてもよい。
図１２に示す例においては、すべての領域Ａ1〜Ａ4で組毎にRGBの三原色の書き込みを行った後に、RGBの３色の光源を同時に点灯して白色光とし、すべての領域Ａ1〜Ａ4で順に白色について書き込みを行っている。また、サブフレームＳＦWでは、サブフレームＳＦR、ＳＦG、ＳＦBと同様に、書き込み期間Ｔa´、液晶応答期間Ｔb´、点灯期間Ｔc´および消去期間Ｔd´が設けられている。
【０１２９】
白色を表示する際には、白色の画像データを、元のRGBの画像データのうち最も小さい信号を白色の信号とし、これに伴ってRGBの画像データを、元のRGBの信号からこの白色の信号の値を差し引いたものとすることができる。例えば、元のRGBの画像データが（R、G、B）＝（125、100、220）の場合、最小の信号である100を白色の信号とし、元のRGBの信号から100を差し引いたものをRGBの信号として、（R、G、B、W）＝（25、0、120、100）とすることができる。
【０１３０】
白色の表示では、カラーブレイクは発生しないため、白色の画像データの書き込みは、すべての領域で組毎にRGBについての書き込みが終了した後から開始することができる。白色を表示するときは、このようにすべての領域で組毎にRGBについての書き込みが終了した後にWについて書き込んでもよく、またすべての領域で組毎にRGBWと書き込んでもよい。
【０１３１】
１１．液晶
本発明に用いられる液晶は、高速応答性を有するものであれば特に限定されるものでない。高速応答性を有する液晶としては、例えば、強誘電性液晶、OCBモードの液晶などが挙げられる。
【０１３２】
中でも、強誘電性液晶が好ましく用いられる。強誘電性液晶は自発分極を有するので、応答速度がμｓオーダーと極めて短く、高速デバイスに適した液晶だからである。
以下、強誘電性液晶について説明する。
【０１３３】
本発明に用いられる強誘電性液晶としては、カイラルスメクチックＣ相（ＳｍＣ＊）を発現するものであれば特に限定されるものではない。例えば、相系列が、降温過程において、ネマチック相（Ｎ）−コレステリック相（Ｃｈ）−カイラルスメクチックＣ相（ＳｍＣ＊）と相変化するもの、ネマチック相（Ｎ）−カイラルスメクチックＣ相（ＳｍＣ＊）と相変化するもの、ネマチック相（Ｎ）−スメクチックＡ相（ＳｍＡ）−カイラルスメクチックＣ相（ＳｍＣ＊）と相変化するもの、ネマチック相（Ｎ）−コレステリック相（Ｃｈ）−スメクチックＡ相（ＳｍＡ）−カイラルスメクチックＣ相（ＳｍＣ＊）と相変化するもの、などを挙げることができる。
【０１３４】
中でも、強誘電性液晶は、単安定性を示すものであることが好ましい。
なお、「単安定性を示す」とは、電圧無印加時の強誘電性液晶の状態がひとつの状態で安定化している状態をいう。強誘電性液晶は、図１３に例示するように、液晶分子１が層法線ｚから傾いており、層法線ｚに垂直な底面を有する円錐（コーン）の稜線に沿って回転する。このような円錐（コーン）において、液晶分子１の層法線ｚに対する傾き角をチルト角θという。このように、液晶分子１は層法線ｚに対しチルト角±θだけ傾く二つの状態間をコーン上に動作することができる。具体的に説明すると、単安定性を示すとは、電圧無印加時に液晶分子１がコーン上のいずれかひとつの状態で安定化している状態をいう。
【０１３５】
単安定性を示す強誘電性液晶としては、図１４に例示するような正極性および負極性いずれの電圧を印加したときにも液晶分子が動作する、V shaped switching（Ｖ字型スイッチング）特性を示すもの、ならびに、図３に例示するような正極性または負極性いずれかの電圧を印加したときにのみ液晶分子が動作する、half-V shaped switching（ハーフＶ字型スイッチング）特性を示すものをいずれも用いることができる。
【０１３６】
特に、ハーフＶ字型スイッチング特性を示す強誘電性液晶が好ましく用いられる。このようなハーフＶ字型スイッチング特性を示す強誘電性液晶を用いると、白黒シャッターとしての開口時間を十分に長くとることができ、これにより時間的に切り替えられる各色をより明るく表示することができ、明るいカラー表示の液晶表示装置を実現することができる。
なお、「ハーフＶ字型スイッチング特性」とは、印加電圧に対する光透過率が非対称な電気光学特性をいう。
【０１３７】
このような強誘電性液晶としては、一般に知られる液晶材料の中から要求特性に応じて種々選択することができる。
【０１３８】
特に、Ｃｈ相からＳｍＡ相を経由しないでＳｍＣ＊相を発現する液晶材料は、ハーフＶ字型スイッチング特性を示すものとして好適である。具体的には、ＡＺエレクトロニックマテリアルズ社製「Ｒ２３０１」が挙げられる。
【０１３９】
また、ＳｍＡ相を経由する液晶材料としては、材料選択の幅が広いことから、Ｃｈ相からＳｍＡ相を経由してＳｍＣ＊相を発現するものが好ましい。この場合、ＳｍＣ＊相を示す単一の液晶材料を用いることもできるが、低粘度でＳｍＣ相を示しやすいノンカイラルな液晶（以下、ホスト液晶とする場合がある。）に、それ自身ではＳｍＣ相を示さないが大きな自発分極と適当な螺旋ピッチを誘起する光学活性物質を少量添加することにより、上記のような相系列を示す液晶材料が、低粘度であり、より速い応答性を実現できることから好ましい。
【０１４０】
上記ホスト液晶としては、広い温度範囲でＳｍＣ相を示す材料であることが好ましく、一般に強誘電性液晶のホスト液晶として知られているものであれば特に限定されることなく使用することができる。例えば、下記一般式：
Ｒａ−Ｑ１−Ｘ１−（Ｑ２−Ｙ１）ｍ−Ｑ３−Ｒｂ
（式中、ＲａおよびＲｂはそれぞれ、直鎖状もしくは分岐状のアルキル基、アルコキシ基、アルコキシカルボニル基、アルカノイルオキシ基またはアルコキシカルボニルオキシ基であり、Ｑ１、Ｑ２およびＱ３はそれぞれ、１，４−フェニレン基、１，４−シクロヘキシレン基、ピリジン−２，５−ジイル基、ピラジン−２，５−ジイル基、ピリダジン−３，６−ジイル基、１，３−ジオキサン−２，５−ジイル基であり、これらの基はハロゲン原子、水酸基、シアノ基等の置換基を有していてもよく、Ｘ１およびＹ１はそれぞれ、−ＣＯＯ−、−ＯＣＯ−、−ＣＨ２Ｏ−、−ＯＣＨ２−、−ＣＨ２ＣＨ２−、−Ｃ≡Ｃ−または単結合であり、ｍは０または１である。）で表される化合物を使用することができる。ホスト液晶としては、上記化合物を１種単独でも２種以上を組み合わせて用いることもできる。
【０１４１】
上記ホスト液晶に添加する光学活性物質としては、自発分極が大きく、適当な螺旋ピッチを誘起する能力を持った材料であれば特に限定されるものではなく、一般にＳｍＣ相を示す液晶組成物に添加する材料として知られるものを使用することができる。特に少量の添加量で大きな自発分極を誘起できる材料であることが好ましい。このような光学活性物質としては、例えば、下記一般式：
Ｒｃ−Ｑ１−Ｚａ−Ｑ２−Ｚｂ−Ｑ３−Ｚｃ−Ｒｄ
（式中、Ｑ１、Ｑ２、Ｑ３は上記一般式と同じ意味を表し、Ｚａ、ＺｂおよびＺｃは−ＣＯＯ−、−ＯＣＯ−、−ＣＨ２Ｏ−、−ＯＣＨ２−、−ＣＨ２ＣＨ２−、−Ｃ≡Ｃ−、−ＣＨ＝Ｎ−、−Ｎ＝Ｎ−、−Ｎ（→Ｏ）＝Ｎ−、−Ｃ（＝Ｏ）Ｓ−または単結合であり、Ｒｃは不斉炭素原子を有していてもよい直鎖状もしくは分岐状のアルキル基、アルコキシ基、アルコキシカルボニル基、アルカノイルオキシ基またはアルコキシカルボニルオキシ基であり、Ｒｄは不斉炭素原子を有する直鎖状もしくは分岐状のアルキル基、アルコキシ基、アルコキシカルボニル基、アルカノイルオキシ基またはアルコキシカルボニルオキシ基であり、ＲｃおよびＲｄはハロゲン原子、シアノ基、水酸基で置換されていてもよい。）で表される化合物を使用することができる。光学活性物質としては、上記化合物を１種単独でも２種以上を組み合わせて用いることもできる。
【０１４２】
ＳｍＡ相を経由する強誘電性液晶として、具体的には、ＡＺエレクトロニックマテリアルズ社製「ＦＥＬＩＸＭ４８５１−１００」などが挙げられる。
【０１４３】
強誘電性液晶には、液晶表示装置に求められる機能に応じて任意の機能を備える化合物が添加されていてもよい。このような化合物としては、重合性モノマーの重合物を挙げることができる。液晶層中にこのような重合性モノマーの重合物が含有されることにより、上記液晶材料の配列がいわゆる「高分子安定化」され、配向安定性に優れた液晶表示装置を得ることができる。
【０１４４】
重合性モノマーの重合物に用いられる重合性モノマーとしては、重合反応により重合物を生じる化合物であれば特に限定されるものではなく、加熱処理により重合反応を生じる熱硬化性樹脂モノマー、および活性放射線の照射により重合反応を生じる活性放射線硬化性樹脂モノマーを挙げることができる。中でも、活性放射線硬化性樹脂モノマーを用いることが好ましい。熱硬化性樹脂モノマーを用いる場合は、重合反応を生じさせるために加温処理をすることが必要であるので、このような加温処理により強誘電性液晶の規則的な配列が損なわれたり、相転移が誘起されてしまったりするおそれがある。一方、活性放射線硬化性樹脂モノマーを用いる場合は、このようなおそれがなく、重合反応が生じることによって強誘電性液晶の配列が害されることが少ないからである。
【０１４５】
活性放射線硬化性樹脂モノマーとしては、電子線の照射により重合反応を生じる電子線硬化性樹脂モノマー、および光照射により重合反応を生じる光硬化性樹脂モノマーを挙げることができる。中でも、光硬化性樹脂モノマーを用いることが好ましい。光硬化性樹脂モノマーを用いることにより、製造工程を簡略化できるからである。
【０１４６】
光硬化性樹脂モノマーとしては、波長が１５０ｎｍ〜５００ｎｍの範囲内の光を照射することにより、重合反応を生じるものであれば特に限定されるものではない。中でも波長が２５０ｎｍ〜４５０ｎｍの範囲内、特に３００ｎｍ〜４００ｎｍの範囲内の光を照射することにより重合反応を生じる紫外線硬化性樹脂モノマーを用いることが好ましい。照射装置の容易性等の面において利点を有するからである。
【０１４７】
紫外線硬化性樹脂モノマーが有する重合性官能基は、上記波長領域の紫外線照射により、重合反応を生じるものであれば特に限定されるものではない。特に、アクリレート基を有する紫外線硬化型樹脂モノマーを用いることが好ましい。
【０１４８】
また、紫外線硬化性樹脂モノマーは、一分子中に一つの重合性官能基を有する単官能性モノマーであってもよく、また、一分子中に二つ以上の重合性官能基を有する多官能性モノマーであってもよい。中でも、多官能性モノマーを用いることが好ましい。多官能性モノマーを用いることにより、より強いポリマーネットワークを形成することができるため、分子間力および配向膜界面におけるポリマーネットワークを強化することができる。これにより、温度変化による強誘電性液晶の配列の乱れを抑制することができる。
【０１４９】
多官能性モノマーの中でも、分子の両末端に重合性官能基を有する２官能性モノマーが好ましく用いられる。分子の両端に重合性官能基を有することにより、ポリマー同士の間隔が広いポリマーネットワークを形成することができ、重合性モノマーの重合物を含むことによる強誘電性液晶の駆動電圧の低下を防止できるからである。
【０１５０】
また、紫外線硬化性樹脂モノマーの中でも、液晶性を発現する紫外線硬化性液晶モノマーを用いることが好ましい。このような紫外線硬化性液晶モノマーが好ましい理由は次の通りである。すなわち、紫外線硬化性液晶モノマーは液晶性を示すことから、配向膜の配向規制力により規則的に配列することができる。このため、紫外線硬化性液晶モノマーを、規則的に配列した後に重合反応を生じさせることにより、規則的な配列状態を維持したまま固定化することができる。このような規則的な配列状態を有する重合物が存在することにより、強誘電性液晶の配向安定性を向上させることができ、優れた耐熱性および耐衝撃性を得ることができる。
【０１５１】
紫外線硬化性液晶モノマーが示す液晶相としては、特に限定されるものではなく、例えば、Ｎ相、ＳｍＡ相、ＳｍＣ相を挙げることができる。
【０１５２】
本発明に用いられる紫外線硬化性液晶モノマーとしては、例えば、下記式(1)〜(3)に示す化合物を挙げることができる。
【０１５３】
【化１】
2009115968.tif 000003
【０１５４】
上記式(1),(2)において、Ａ、Ｂ、Ｄ、ＥおよびＦはベンゼン、シクロヘキサンまたはピリミジンを表し、これらはハロゲン等の置換基を有していてもよい。また、ＡおよびＢ、あるいはＤおよびＥは、アセチレン基、メチレン基、エステル基等の結合基を介して結合していてもよい。Ｍ１およびＭ２は、水素原子、炭素数３〜９のアルキル基、炭素数３〜９のアルコキシカルボニル基、またはシアノ基のいずれであってもよい。さらに、分子鎖末端のアクリロイルオキシ基とＡまたはＤとは、炭素数３〜６のアルキレン基等の結合基を介して結合していてもよい。
【０１５５】
また、上記式(3)おいて、Ｙは、水素、炭素数１〜２０のアルキル、炭素数１〜２０のアルケニル、炭素数１〜２０のアルキルオキシ、炭素数１〜２０のアルキルオキシカルボニル、ホルミル、炭素数１〜２０のアルキルカルボニル、炭素数１〜２０のアルキルカルボニルオキシ、ハロゲン、シアノまたはニトロを表す。
【０１５６】
上記の中でも、好適に用いられるものとして、下記式の化合物を例示することができる。
【０１５７】
【化２】
2009115968.tif 000004
【０１５８】
【化３】
2009115968.tif 000005
【０１５９】
【化４】
2009115968.tif 000006
【０１６０】
また、上記重合性モノマーは、単独で用いてもよく、２種以上を組み合わせて用いてもよい。２種以上の異なる重合性モノマーを用いる場合には、例えば、上記式で示される紫外線硬化性液晶モノマーと他の紫外線硬化性樹脂モノマーとを用いることができる。
【０１６１】
重合性モノマーとして紫外線硬化性液晶モノマーを用いた場合、重合性モノマーの重合物としては、主鎖に液晶性を示す原子団を有することにより主鎖が液晶性を示す主鎖液晶型重合物であってもよく、側鎖に液晶性を示す原子団を有することにより側鎖が液晶性を示す側鎖液晶型重合物であってもよい。中でも、重合性モノマーの重合物が側鎖液晶型重合物であることが好ましい。液晶性を示す原子団が側鎖に存在することにより、この原子団の自由度が高くなるため、液晶性を示す原子団が配向しやすくなるからである。また、その結果として強誘電性液晶の配向安定性を向上させることができるからである。
【０１６２】
液晶層中における重合性モノマーの重合物の存在量は、強誘電性液晶の配列安定性を所望の程度にできる範囲内であれば特に限定されないが、通常、液晶層中に０．５質量％〜３０質量％の範囲内が好ましく、より好ましくは１質量％〜２０質量％、さらに好ましくは１質量％〜１０質量％の範囲内である。上記範囲よりも多いと、駆動電圧の増加や、応答速度の低下を生じる場合があるからである。また、上記範囲よりも少ないと強誘電性液晶の配列安定性が不十分となり、液晶表示装置の耐熱性や耐衝撃性を損なってしまう可能性があるからである。
なお、液晶層中における重合性モノマーの重合物の存在量は、液晶層中の単分子液晶を溶剤で洗い流した後、残存する重合性モノマーの重合物の重量を電子天秤で測量することによって求めた残存量と、上記液晶層の総質量とから算出することができる。
【０１６３】
１２．２ｎ個の領域
本発明においては、複数の連続するゲート線を有する２ｎ（ｎは２〜４の整数）個の領域に分割されている。領域の数は、２ｎ（ｎは２〜４の整数）個であり、具体的には４個、６個または８個のいずれかである。例えば図１に示すようにｊ行のゲート線およびｋ列のソース線が形成されている場合、図１５に例示するように行方向に、４個の領域（Ａ１〜Ａ４）、６個の領域（Ａ１〜Ａ６）または８個の領域（Ａ１〜Ａ８）に分割される。
【０１６４】
また、２ｎ個の領域は任意の２個の領域を１組とされる。
任意の２個の領域としては、特に限定されるものではなく、例えば図１５(a)に示す４個の領域の場合、Ａ1とＡ2を第１組、Ａ3とＡ4を第２組としてもよく、Ａ1とＡ3を第１組、Ａ2とＡ4を第２組としてもよく、Ａ1とＡ4を第１組、Ａ2とＡ3を第２組としてもよい。
また、任意の２個の領域の組み合わせは、すべてのフレームで同じであってもよく、フレーム毎に異なっていてもよい。
組の数としては、例えば、４個の領域の場合は２個ずつ２つの組、６個の領域の場合は２個ずつ３つの組、８個の領域の場合は２個ずつ４つの組とされる。
【０１６５】
また、フルハイビジョン(FHD)のようにゲート線数が多い場合、FHDのパネルを上下の２個の領域に分割して、上側領域は上側に配置したソースドライバ、下側領域は下側に配置したソースドライバでデータを入力することができる。このように、上下の２個の領域の両方にソースドライバを配置することで、平行してゲート線の走査を行うことができる。
図１６は、FHDのパネルを例にした場合の駆動方法であり、上側領域および下側領域で対称に表示を行うものである。なお、図１６においては、上側領域および下側領域で対称に表示を行っているが、必ずしもこの形態に限定されるものではなく、上側領域および下側領域でそれぞれ異なる駆動方法を用いてもよい。
図１６に示す例においては、上側領域が、４個の領域Ａ1〜Ａ4に分割されており、それぞれの領域にLEDが配置されている。また、下側領域が、４個の領域Ａ5〜Ａ8に分割されており、それぞれの領域にLEDが配置されている。そして、各領域のLEDは独立にON/OFF制御できるようになっている。なお、この場合、領域Ａ4と領域Ａ5については、LEDの点灯のタイミングが同じであるため、光漏れの影響については考慮しなくてもよい。
【０１６６】
ゲート線の本数としては、複数であればよいが、中でも、書き込み期間が、液晶応答期間、点灯期間および消去期間の合計時間以上となるような本数であることが好ましい。
また、複数のゲート線を２ｎ個の領域に分割する際、１個の領域に対するゲート線の本数は、特に限定されるものではないが、上記と同様に、書き込み期間が、液晶応答期間、点灯期間および消去期間の合計時間以上となるような本数であることが好ましい。
【０１６７】
また、２ｎ個の領域には、領域毎にそれぞれ複数色の光源が設けられる。
【０１６８】
Ｂ．液晶表示装置
次に、本発明の液晶表示装置について説明する。
本発明の液晶表示装置は、２ｎ（ｎは２〜４の整数）個の領域に分割された複数のゲート線と、複数のソース線と、上記ゲート線およびソース線に接続され、画素毎に配置された複数のスイッチング素子と、上記スイッチング素子に接続され、画素毎に配置された複数の画素電極と、上記画素電極に対向する位置に配置された対向電極と、上記画素電極および対向電極間に配置された液晶と、上記複数のゲート線に接続され、走査信号を印加するゲートドライバと、上記複数のソース線に接続され、画像信号を印加するソースドライバとを有する液晶パネル、ならびに、上記液晶パネルに対して光を照射し、上記領域毎に設けられた複数色の光源、ならびに、上記ゲートドライバ、ソースドライバおよび光源に接続され、上述の液晶表示装置の駆動方法によって液晶表示装置を駆動する制御部を有することを特徴とするものである。
【０１６９】
図１７は本発明の液晶表示装置の一例を示す概略斜視図である。
図１７に例示するように、液晶表示装置１０は、液晶パネル１１と、この液晶パネル１１に対向するように配置された光源１２と、液晶パネル１１のゲートドライバ２およびソースドライバ３ならびに光源１２に接続された制御部１３とを有している。液晶パネル１１においては、基材７ａ上に、複数のゲート線Ｇおよび複数のソース線Ｓと、これらのゲート線Ｇおよびソース線Ｓに接続され、画素毎に配置された複数のスイッチング素子４と、このスイッチング素子４に接続され、画素毎に配置された複数の画素電極５とが設けられ、基材７ｂ上に、画素電極５に対向するように対向電極６が設けられている。また、液晶パネル１１では、複数のゲート線Ｇに接続されたゲートドライバ２と、複数のソース線Ｓに接続されたソースドライバ３とが設けられている。
また、複数のゲート線Ｇは、図１５(a)に例示するように行方向に４個の領域（Ａ１〜Ａ４）に分割されている。そして、領域毎にそれぞれＲＧＢ３色の光源１２Ｒ，１２Ｇ，１２Ｂが設けられている。
なお、図示しないが、画素電極等と対向電極との間には液晶が挟持されている。
【０１７０】
ゲート線Ｇおよびソース線Ｓはそれぞれ縦横に配列しており、ゲート線Ｇおよびソース線Ｓに信号を加えることによりスイッチング素子４を作動させ、液晶を駆動させることができる。ゲート線Ｇおよびソース線Ｓが交差した部分は、図示しないが絶縁層で絶縁されており、ゲート線Ｇの走査信号とソース線Ｓの画像信号とは独立に動作することができる。ゲート線Ｇおよびソース線Ｓにより囲まれた部分は、液晶表示装置を駆動する最小単位である画素であり、各画素には少なくとも１つ以上のスイッチング素子４および画素電極５が形成されている。そして、ゲート線およびソース線に順次信号電圧を加えることにより、各画素のスイッチング素子を動作させることができる。
【０１７１】
ゲートドライバ２はゲート線Ｇに電圧を印加し（走査信号を印加し）、ソースドライバ３はソース線Ｓに正極性または負極性の電圧を印加する（画像信号を印加する）。このとき、ソース線Ｓに、任意の色を混色により表示するための複数の単位色（図１７においてはＲＧＢ）のうちの１つの単位色に対応する画像信号を供給する。これにより、ゲートドライバ２によって複数のゲート線Ｇに順に電圧を印加して複数のスイッチング素子４をゲート線単位で順にオンするとともに、ソースドライバ３によって複数のソース線Ｓに正極性または負極性の電圧を印加して、スイッチング素子４および画素電極５を介して液晶に正極性または負極性の電圧を印加して液晶を駆動する。すなわち、各ゲート線に沿った画素の画素電極および対向電極間に画像信号に対応した電圧が印加され、画像データがゲート線に沿った各画素に書き込まれ、これに対する液晶の応答の程度により、各画素の光の透過率が制御される。
【０１７２】
本発明の液晶表示装置は、上述の液晶表示装置の駆動方法によって駆動されるので、複数の光源の点灯期間の間隔を短縮することができ、カラーブレイクを防ぐことができる。
【０１７３】
液晶表示装置の各構成部材には、一般的なものを用いることができる。なお、液晶および光源については、上記「Ａ．液晶表示装置の駆動方法」に詳しく記載したので、ここでの説明は省略する。
【０１７４】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１７５】
以下に実施例を示し、本発明をさらに詳細に説明する。
【０１７６】
［実施例１］
フルハイビジョン(FHD)のゲート線数：1080本のディスプレイを上下に２分割して、上下各領域をさらに４分割（合わせて８分割）した場合の、上側領域の駆動方法を図５に示す。下側領域は、上側領域と対称に駆動させた。
各領域のゲート線数は、1080本÷2÷4＝135本となる。ゲート選択時間を10.3μsecとし、135本の書き込み走査に要する時間（書き込み期間Ｔa）を1.39msecとした。また、液晶応答期間Ｔbを0.29msec、点灯期間Ｔcを0.80msec、消去期間Ｔdを0.29msecとした。
【０１７７】
［実施例２］
フルハイビジョン(FHD)のゲート線数：1080本のディスプレイを上下に２分割して、上下各領域をさらに４分割（合わせて８分割）した場合の、上側領域の駆動方法を図１２に示す。下側領域は、上側領域と対称に駆動させた。
各領域のゲート線数は、1080本÷2÷4＝135本となる。ゲート選択時間を7.7μsecとし、135本の書き込み走査に要する時間（書き込み期間Ｔa）を1.04msecとした。また、液晶応答期間Ｔbを0.22msec、点灯期間Ｔcを0.60msec、消去期間Ｔdを0.22msecとした。
【０１７８】
［実施例３］
フルハイビジョン(FHD)のゲート線数：1080本のディスプレイを上下に２分割して、上下各領域をさらに４分割（合わせて８分割）した場合の、上側領域の駆動方法を図６に示す。下側領域は、上側領域と対称に駆動させた。
各領域のゲート線数は、1080本÷2÷4＝135本となる。ゲート選択時間を10.3μsecとし、135本の書き込み走査に要する時間（書き込み期間Ｔa）を1.39msecとした。また、液晶応答期間Ｔbを0.29msec、点灯期間Ｔcを0.80msec、消去期間Ｔdを0.29msec、第１初期化期間Ｔg（ゲート選択時間）10.3μsecをとした。
【０１７９】
［比較例１］
フルハイビジョン(FHD)のゲート線数：1080本のディスプレイを上下に２分割して、上下各領域をさらに４分割（合わせて８分割）した場合の、上側領域の駆動方法を図１８に示す。下側領域は、上側領域と対称に駆動させた。
各領域のゲート線数は、1080本÷2÷4＝135本となる。ゲート選択時間を10.3μsecとし、135本の書き込み走査に要する時間（書き込み期間Ｔa）を1.39msecとした。また、液晶応答期間Ｔbを0.29msec、点灯期間Ｔcを0.80msec、消去期間Ｔdを0.29msecとした。
この場合、LEDの点灯期間の間隔ｄは約5.6msecを要するため、カラーブレイクが問題となる。
【図面の簡単な説明】
【０１８０】
【図１】本発明の液晶表示装置の回路図の一例を示す模式図である。
【図２】本発明の液晶表示装置の駆動方法の一例を示すタイミングチャートである。
【図３】強誘電性液晶の印加電圧に対する透過率の変化を示したグラフである。
【図４】本発明の液晶表示装置の駆動方法の他の例を示すタイミングチャートである。
【図５】本発明の液晶表示装置の駆動方法の他の例を示すタイミングチャートである。
【図６】本発明の液晶表示装置の駆動方法の他の例を示すタイミングチャートである。
【図７】本発明の液晶表示装置の駆動方法の他の例を示すタイミングチャートである。
【図８】本発明の液晶表示装置の駆動方法の他の例を示すタイミングチャートである。
【図９】本発明の液晶表示装置の駆動方法の他の例を示すタイミングチャートである。
【図１０】本発明の液晶表示装置の駆動方法の他の例を示すタイミングチャートである。
【図１１】本発明の液晶表示装置の駆動方法の他の例を示すタイミングチャートである。
【図１２】本発明の液晶表示装置の駆動方法の他の例を示すタイミングチャートである。
【図１３】液晶分子の挙動を示す模式図である。
【図１４】強誘電性液晶の印加電圧に対する透過率の変化を示したグラフである。
【図１５】２ｎ個の領域を示す模式図である。
【図１６】本発明の液晶表示装置の駆動方法の他の例を示すタイミングチャートである。
【図１７】本発明の液晶表示装置の一例を示す概略斜視図である。
【図１８】比較例１の駆動方法を示すタイミングチャートである。
【符号の説明】
【０１８１】
Ｔａ  …  書き込み期間
Ｔｂ  …  液晶応答期間
Ｔｃ  …  点灯期間
Ｔｄ  …  消去期間
Ｔｅ  …  逆極性電圧保持期間
Ｔｆ  …  交互電圧印加期間
Ｔｇ  …  第１初期化期間
Ｔｈ  …  非選択期間
Ｔｉ  …  第２初期化期間
Ｔｉ１  …  逆極性電圧初期化期間
Ｔｉ２  …  ゼロ電圧初期化期間
Ｔ１  …  第一保持期間
Ｔ２  …  第二保持期間
【図１】
2009115968.tif 000007
【図２】
2009115968.tif 000008
【図３】
2009115968.tif 000009
【図４】
2009115968.tif 000010
【図５】
2009115968.tif 000011
【図６】
2009115968.tif 000012
【図７】
2009115968.tif 000013
【図８】
2009115968.tif 000014
【図９】
2009115968.tif 000015
【図１０】
2009115968.tif 000016
【図１１】
2009115968.tif 000017
【図１２】
2009115968.tif 000018
【図１３】
2009115968.tif 000019
【図１４】
2009115968.tif 000020
【図１５】
2009115968.tif 000021
【図１６】
2009115968.tif 000022
【図１７】
2009115968.tif 000023
【図１８】
2009115968.tif 000024